(57)【要約】【課題】蓄積容量の一端と共通電極を共通線で接続した画素構成をもち、共通線の駆動電圧の極性を交互に反転させて駆動する液晶装置を実現すると共に、共通線を駆動する正規のアンプの負荷を軽減して、選択期間の共通線に対して高精度の電圧を供給することを可能とし、同時に、寄生容量を経由して流れるクロストーク電流による電力消費を低減すること。【解決手段】共通線Ｚの電圧を制御する制御回路（３０）において、正規の共通線電圧（ＶＣＯＭＨ，ＶＣＯＭＬ）を供給する正規のアンプ（ＡＰＭ２，ＡＭＰ３）に加えて、非選択の共通線に与えるための補助的な電圧（ＶＣＯＭＨ’ならびにＶＣＯＭＬ’）を生成する補助的な電圧供給源（ＶＳＣ１，ＶＳＣ２）を設け、ＶＣＯＭＨ，ＶＣＯＭＬ，ＶＣＯＭＨ’，ＶＣＯＭＬ’の中からいずれか一つを接続切換回路（７００）によって選択する。【選択図】図１１
2008249831.tif 000002
【特許請求の範囲】
【請求項１】
複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置であって、
前記走査線を選択する選択電圧を前記複数の走査線に順次供給する走査線駆動回路と、
選択期間の画素に対応する前記共通電極に印加するための、負極性の正規の共通電極用電圧である第１電圧および正極性の正規の共通電極用電圧である第２電圧を供給する正規の電圧供給源と、
非選択期間の画素に対応する前記共通電極に印加するための、負極性の補助的な共通電極用電圧である第３電圧および正極性の補助的な共通電極用電圧である第４電圧を供給する補助的な電圧供給源と、
前記第１電圧、前記第２電圧、前記第３電圧、前記第４電圧のいずれかを選択して前記共通電極に供給する制御回路と、
前記走査線が選択された際に、正極性の画像信号と、負極性の画像信号と、を交互に前記データ線に供給するデータ線駆動回路と、を有し、
前記制御回路によって前記第１電圧を前記共通電極に供給し、前記走査線駆動回路によって前記選択電圧を前記走査線に供給し、前記データ線駆動回路によって前記正極性の画像信号を前記データ線に供給し、前記走査線への前記選択電圧の供給を停止した後、前記制御回路によって前記第３電圧を前記共通電極に供給し、
前記制御回路によって前記第２電圧を前記共通電極に供給し、前記走査線駆動回路によって前記選択電圧を前記走査線に供給し、前記データ線駆動回路によって前記負極性の画像信号を前記データ線に供給し、前記走査線への前記選択電圧の供給を停止した後、前記制御回路によって前記第４電圧を前記共通電極に供給することを特徴とする液晶装置。
【請求項２】
請求項１記載の液晶装置であって、
前記共通電極は、１水平ライン毎に分割されることを特徴とする液晶装置。
【請求項３】
請求項２記載の液晶装置であって、
前記制御回路は、奇数行の前記共通電極に前記第１電圧または前記第３電圧を供給するとき、偶数行の前記共通電極には、前記２電圧または前記第４電圧を供給することを特徴とする液晶装置。
【請求項４】
請求項１〜請求項３のいずれか記載の液晶装置であって、
前記第３電圧および前記第４電圧を供給する前記補助的な電圧供給源は、前記データ線と前記共通電極との間に介在する寄生容量を経由して流れるクロストーク電流によって充放電されるコンデンサを含み、
前記第３電圧のレベルは前記第１電圧のレベルと同等もしくは近似し、前記第４電圧のレベルは前記第２電圧のレベルと同等もしくは近似する、ことを特徴とする液晶装置。
【請求項５】
請求項４記載の液晶装置であって、
前記補助的な電圧供給源は、
前記コンデンサから発生する電圧の電圧変化範囲を制限する電圧制限手段を、さらに有することを特徴とする液晶装置。
【請求項６】
請求項５記載の液晶装置であって、
前記電圧制限手段は、
前記コンデンサの一端にその出力端が接続される、所定幅の不感帯をもつＢ級増幅器であることを特徴とする液晶装置。
【請求項７】
請求項６記載の液晶装置であって、
前記Ｂ級増幅器は、前記液晶装置の動作モードに対応して電源のオン／オフが切換えられることを特徴とする液晶装置。
【請求項８】
請求項１〜請求項７のいずれか記載の液晶装置であって、
前記正規の電圧供給源は、前記第１電圧を供給する正規の負極性電圧供給源と、前記第２電圧を供給する正規の正極性電圧供給源と、を含み、
前記補助的な電圧供給源は、前記第３電圧を供給する補助的な負極性電圧供給源と、前記第４電圧を供給する補助的な正極性電圧供給源と、を含み、
前記補助的な負極性電圧供給源の電圧供給端は、前記正規の負極性電圧供給源の出力端と第１のバイアス抵抗を経由して接続されており、
前記補助的な正極性電圧供給源の電圧供給端は、前記正規の正極性電圧供給源の出力端と第２のバイアス抵抗を経由して接続されている、
ことを特徴とする液晶装置。
【請求項９】
請求項１〜請求項８のいずれか記載の液晶装置であって、
前記正規の電圧供給源は、前記第１電圧を供給する正規の負極性電圧供給源と、前記第２電圧を供給する正規の正極性電圧供給源と、を含み、
前記補助的な電圧供給源は、前記第３電圧を供給する補助的な負極性電圧供給源と、前記第４電圧を供給する補助的な正極性電圧供給源と、を含み、
前記補助的な負極性電圧供給源の電圧供給端は、前記正規の負極性電圧供給源の出力端と、双方向ダイオードを含む第１のリミッタを経由して接続されており、
前記補助的な正極性電圧供給源の電圧供給端は、前記正規の正極性電圧供給源の出力端と、双方向ダイオードを含む第２のリミッタを経由して接続されている、
ことを特徴とする液晶装置。
【請求項１０】
請求項１〜請求項９のいずれか記載の液晶装置であって、
前記正規の電圧供給源は、前記第１電圧を供給する正規の負極性電圧供給源と、前記第２電圧を供給する正規の正極性電圧供給源と、を含み、
前記補助的な電圧供給源は、前記第３電圧を供給する補助的な負極性電圧供給源と、前記第４電圧を供給する補助的な正極性電圧供給源と、を含み、
前記補助的な負極性電圧供給源の電圧供給端は、前記正規の負極性電圧供給源の出力端と第１のスイッチを経由して接続されており、
前記補助的な正極性電圧供給源の電圧供給端は、前記正規の正極性電圧供給源の出力端と第２のスイッチを経由して接続されている、
ことを特徴とする液晶装置。
【請求項１１】
請求項１０記載の液晶装置であって、
前記第１のスイッチおよび前記第２のスイッチは、前記液晶装置の起動時に所定時間オンされる、ことを特徴とする液晶装置。
【請求項１２】
請求項１０記載の液晶装置であって、
前記第１のスイッチおよび前記第２のスイッチは、全走査線が非選択となる期間において、所定の時間間隔で所定時間オンされる、ことを特徴とする液晶装置。
【請求項１３】
複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置の、前記共通電極に電圧を供給する制御回路であって、
負極性の正規の共通電極用電圧である第１電圧を供給する、正規の電源供給源としての第１の電圧供給源と、
正極性の正規の共通電極用電圧である第２電圧を供給する、正規の電圧供給源としての第２の電圧供給源と、
非選択期間の画素に対応する前記共通電極に印加するための、かつ前記第１電圧と同等もしくは近似するレベルの、負極性の補助的な共通電極用電圧である第３の電圧を供給する、補助的な電圧供給源としての第３の電圧供給源と、
選択期間の画素に対応する前記共通電極に印加するための、かつ前記第２電圧と同等もしくは近似するレベルの、正極性の補助的な共通電極用電圧である第４の電圧を供給する、補助的な電圧供給源としての第４の電圧供給源と、
前記第１電圧、第２電圧、第３電圧、第４電圧の中から一つを選択して前記共通電極に印加する切換回路と、
を有することを特徴とする制御回路。
【請求項１４】
請求項１〜請求項１２のいずれか記載の液晶装置を搭載した電子機器。
【請求項１５】
複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置の駆動方法であって、
前記走査線がアクティブレベルになって前記画素電極に前記データ線からの正極性の書込み電圧が印加されているときは、前記画素電極に対応する前記共通電極には、負極性の正規の共通電極用電圧としての第１電圧を供給し、
前記走査線が非アクティブレベルに変化すると、前記共通電極には、前記第１電圧と同等もしくは近似するレベルであり、かつ前記第１電圧とは別の電圧供給源からの、負極性の補助的な共通電極用電圧としての第２電圧を供給し、
前記走査線がアクティブレベルになって前記画素電極に前記データ線からの負極性の書込み電圧が印加されているときは、前記画素電極に対応する前記共通電極には、正極性の正規の共通電極用電圧としての第３電圧を供給し、
前記走査線が非アクティブレベルに変化すると、前記共通電極には、前記第３電圧と同等もしくは近似するレベルであり、かつ前記第３電圧とは別の電圧供給源からの、正極性の補助的な共通電極用電圧としての第４電圧を供給する、
ことを特徴とする液晶装置の駆動方法。
【請求項１６】
請求項１５記載の液晶装置の駆動方法であって、
前記共通電極は、１水平ライン毎に分割されており、隣接する行の前記共通電極には、互いに逆極性の電圧が印加されることを特徴とする液晶装置の駆動方法。
【発明の詳細な説明】
【技術分野】
【０００１】
本発明は、液晶装置、液晶装置の駆動回路、液晶装置の駆動方法、および電子機器に関する。
【背景技術】
【０００２】
液晶装置では、いわゆる焼き付き防止のために、液晶層への印加電圧の極性を周期的に反転する必要がある。通常用いられる極性反転の方法は、対向基板に設けられる共通電極（コモン電極）の電圧（ＶＣＯＭ）を固定し、もう一方の基板に設けられる画素電極の印加電圧を、共通電極の電圧（ＶＣＯＭ）に対して、正極性ならびに負極性に交互に変化させる方法である。
【０００３】
しかし、この方法では、共通電極の電圧（ＶＣＯＭ）を中心として、正側および負側に画素電極の電圧を振る必要があり、画素電極の印加電圧のダイナミックレンジが拡大し、このことが、低消費電力化の妨げとなる。
【０００４】
ここで、共通電極の電圧（ＶＣＯＭ）を固定せずに、正側および負側に交互に変化させ、画素電極の電圧を、共通電極の電圧（ＶＣＯＭ）とは逆極性になるように交互に変化させると、共通電極の電圧（ＶＣＯＭ）を固定した場合に比べて、画素電極に印加する電圧のダイナミックレンジが１／２となり、低消費電力化が可能である。
【０００５】
但し、画素電極と対向基板に設けられた共通電極とによって液晶層を挟み込む構成を有する液晶装置では、対向基板に設けられる共通電極の面積が広く、共通電極（ＶＣＯＭ）の高速な極性反転がむずかしいという問題がある。
【０００６】
そこで、特許文献１では、各画素に設けられる蓄積容量（保持容量）の一端を液晶の共通電極から切り離し、蓄積容量の一端の電圧を極性反転させ、その反転によって、電荷を蓄積容量から液晶層に移動させるという方式が提案されている。
【０００７】
ただし、この方式は、蓄積容量の一端と液晶の共通電極とが分離しているために、画素の構成が複雑となる点は否めない。したがって、蓄積容量の一端と液晶の共通電極を切り離すことなく一本化されている画素構成を採用しつつ、共通電極の電圧（ＶＣＯＭ）の極性を交互に反転できるようにするのが望ましい。
【０００８】
また、液晶装置では、寄生容量に起因するクロストークによる充放電電流（寄生容量に起因した過渡電流であり、以下、クロストーク電流という場合がある）が生じ、正規の駆動電圧を安定させ、かつ低消費電力化を図るために、クロストーク電流の低減が必要となる場合がある。
【０００９】
クロストーク電流を低減する技術は、例えば、特許文献２に記載されている。特許文献２の技術では、非選択期間の画素については、共通電極の電圧をフローティング状態として、電流経路を遮断することによってクロストーク電流を低減している。
【特許文献１】特開２００２−１９６３５８号公報
【特許文献２】特開２００４−２７１９６９号公報
【発明の開示】
【発明が解決しようとする課題】
【００１０】
上述したとおり、液晶装置では、低消費電力化のために、共通電極の電圧（ＶＣＯＭ）および画素電極の電圧の双方を、互いに逆極性になるように交互に反転する反転する方式を採用することが有効である。
【００１１】
そして、液晶装置の構成を複雑化しないためには、蓄積容量の一端と液晶の共通電極を切り離すことなく一本化されている画素構成を採用しつつ、共通電極の電圧（ＶＣＯＭ）の極性を交互に反転できるようにするのが望まれる。
【００１２】
また、そのような駆動方式を採用した小型かつ高性能な液晶装置の実現のためには、クロストーク電流による不要な電力消費を低減することが重要となる。すなわち、クロストーク電流の増大は、例えば、共通線を駆動するアンプの負荷が重くなることを意味し、このことは、正規の駆動電圧の変動の一因となる場合がないとは言えない。また、クロストーク電流の増大は、低消費電力化の妨げともなる。
【００１３】
特許文献２の技術では、クロストーク電流は低減されるが、共通電極の電圧がフローティングとなるため、画素電圧が不安定化するのは否めない。
【００１４】
本発明はこのような考察に基づいてなされたものであり、その目的は、蓄積容量の一端と共通電極を共通線で接続した画素構成をもち、共通線の駆動電圧の極性を交互に反転させて駆動する液晶装置を実現すると共に、共通線を駆動する正規のアンプの負荷を軽減して、選択期間の共通線に対して高精度の電圧を供給することを可能とし、同時に、寄生容量を経由して流れるクロストーク電流による電力消費を低減することにある。
【課題を解決するための手段】
【００１５】
（１）本発明の液晶装置の一態様では、複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置であって、前記走査線を選択する選択電圧を前記複数の走査線に順次供給する走査線駆動回路と、選択期間の画素に対応する前記共通電極に印加するための、負極性の正規の共通電極用電圧である第１電圧および正極性の正規の共通電極用電圧である第２電圧を供給する正規の電圧供給源と、非選択期間の画素に対応する前記共通電極に印加するための、負極性の補助的な共通電極用電圧である第３電圧および正極性の補助的な共通電極用電圧である第４電圧を供給する補助的な電圧供給源と、前記第１電圧、前記第２電圧、前記第３電圧、前記第４電圧のいずれかを選択して前記共通電極に供給する制御回路と、前記走査線が選択された際に、正極性の画像信号と、負極性の画像信号と、を交互に前記データ線に供給するデータ線駆動回路と、を有し、前記制御回路によって前記第１電圧を前記共通電極に供給し、前記走査線駆動回路によって前記選択電圧を前記走査線に供給し、前記データ線駆動回路によって前記正極性の画像信号を前記データ線に供給し、前記走査線への前記選択電圧の供給を停止した後、前記制御回路によって前記第３電圧を前記共通電極に供給し、前記制御回路によって前記第２電圧を前記共通電極に供給し、前記走査線駆動回路によって前記選択電圧を前記走査線に供給し、前記データ線駆動回路によって前記負極性の画像信号を前記データ線に供給し、前記走査線への前記選択電圧の供給を停止した後、前記制御回路によって前記第４電圧を前記共通電極に供給する。
【００１６】
共通電極（共通線）の電圧を反転させるコモン振り反転駆動方式の液晶装置において、画素の選択期間において共通電極に供給する正規の共通電極用電圧（第１および第２の電圧）と、画素の非選択期間において共通電極に供給する補助的な共通電極用電圧（第３および第４の電圧）とを区別して与える方式を採用するものである。本発明では、画素への書込み時には高精度の共通電極用電圧が必要であるが、非選択期間においては書込み時ほど高精度の共通電極用電圧は必要ないことに着目する。例えば、データが正確に書込まれた後は、若干の電圧変動があったとしても、例えば、保持期間の全期間にわたって液晶の印加電圧を一定値に維持できる程度の十分な容量値をもつ保持容量によって、その電圧変動を平滑して吸収し得るため、非選択期間では、共通電極の電圧には、書込み時ほどの高精度が要求されない。したがって、本発明では、選択期間と非選択期間とで、共通電極に電圧を供給する電圧供給源を切換える。寄生容量に起因するクロストーク電流は、共通電極の電圧の変動の一因となるが、高精度の第１電圧および第２電圧は、選択期間の共通電極にのみ接続されるのであり、したがって、第１電圧および第２電圧を供給する正規の電圧供給源は、他の非選択の画素からのクロストーク電流には影響されなくなり、したがって、画素への書込み時には、より高精度の電圧を共通電極に与えることができる。また、第３電圧および第４電圧を供給する補助的な電圧供給源の回路構成は、供給電圧のレベルが書き込み時ほどの高精度なレベルが要求されないため、簡素化することができる。また、クロストーク電流の影響を受けない分、第１電圧および第２電圧を発生する正規の電圧供給源の負荷が軽くなり、したがって正規の電圧供給源の駆動能力を小さくすることができる。このため、簡易構成の補助的な電圧供給源を追加したとしても、回路全体としてみれば、占有面積の増大やコスト面の増大は生じない。
【００１７】
（２）本発明の液晶装置の他の態様では、前記共通電極は、１水平ライン毎に分割される。
【００１８】
１水平ライン毎に共通電極を分離することによって、各行毎に、印加電圧の極性を決めることができ、これによって、フリッカの低減に有利な駆動方法を採用することが可能となる。
【００１９】
（３）本発明の液晶装置の他の態様では、前記制御回路は、奇数行の前記共通電極に前記第１電圧または前記第３電圧を供給するとき、偶数行の前記共通電極には、前記２電圧または前記第４電圧を供給する。
【００２０】
隣接する行の共通電極には、逆極性の電圧を印加することによって、フリッカを低減することができる。
【００２１】
（４）本発明の液晶装置の他の態様では、前記第３電圧（ＶＣＯＭＬ’）および前記第４電圧（ＶＣＯＭＨ’）を供給する前記補助的な電圧供給源（ＶＳＣ１，ＶＳＣ２）は、前記データ線と前記共通電極との間に介在する寄生容量を経由して流れるクロストーク電流によって充放電されるコンデンサ（ＣＬ，ＣＨ）を含み、前記第３電圧のレベルは前記第１電圧のレベルと同等もしくは近似し、前記第４電圧のレベルは前記第２電圧のレベルと同等もしくは近似する。
【００２２】
寄生容量に起因するクロストーク電流によってコンデンサを充電し、その充電されたコンデンサを、第３電圧および第４電圧の主たる供給源として利用するものである。簡単な構成によって実現できると共に、クロストーク電流を逆利用しているため、大幅な省電力化を図ることができる。また、ある程度の期間をとれば、データ線の変化によるデータ線と共通電極の間の寄生容量を介しての共通電極への充放電電流（クロストーク電流）の和はほぼセロとなることから、コンデンサは、非選択期間の共通電極への電荷の主たる供給源として十分、有効に機能する。
【００２３】
（５）本発明の液晶装置の他の態様では、前記電圧供給源は、前記コンデンサから発生する電圧の電圧変化範囲を制限する電圧制限手段を、さらに有する。
【００２４】
コンデンサだけでは、発生電圧（第３電圧および第４電圧）の変動幅を規制することができないため、電圧変動幅を制限する手段を別に設けるものである。これによって、第３電圧および第４電圧の電圧変動を所定幅内に収めることができる。
【００２５】
（６）本発明の液晶装置の他の態様では、前記電圧制限手段は、前記コンデンサの一端にその出力端が接続される、所定幅の不感帯をもつＢ級増幅器である。
【００２６】
電圧制限手段としての不感帯をもつＢ級アンプをコンデンサに接続すると、コンデンサが許容範囲内の電圧で変動しているときは、Ｂ級アンプの出力端は、不感帯が設けられているためにハイインピーダンス状態となり、コンデンサの両端電圧が許容幅を超えて変動する際には、Ｂ級アンプが動作して電圧変動を規制する。よって、第３電圧および第４電圧の電圧変動を所定幅内に収めることができる。
【００２７】
（７）本発明の液晶装置の他の態様では、前記Ｂ級増幅器は、前記液晶装置の動作モードに対応してオン／オフが切換えられる。
【００２８】
Ｂ級アンプによる消費電力を極力削減するために、液晶装置の動作モードに応じて、Ｂ級アンプの電源をオン／オフをダイナミックに切換えるものである。
【００２９】
（８）本発明の液晶装置の他の態様では、前記正規の電圧供給源は、前記第１電圧を供給する正規の負極性電圧供給源と、前記第２電圧を供給する正規の正極性電圧供給源と、を含み、前記補助的な電圧供給源は、前記第３電圧を供給する補助的な負極性電圧供給源と、前記第４電圧を供給する補助的な正極性電圧供給源と、を含み、前記補助的な負極性電圧供給源の電圧供給端は、前記正規の負極性電圧供給源の出力端と第１のバイアス抵抗を経由して接続されており、前記補助的な正極性電圧供給源の電圧供給端は、前記正規の正極性電圧供給源の出力端と第２のバイアス抵抗を経由して接続されている。
【００３０】
第３電圧（補助的な負極性電圧）を供給する電圧供給源（補助的な負極性電圧供給源）の出力端を、第１電圧（正規の負極性電圧）を供給する正規の負極性電圧供給源の出力端とバイアス抵抗で接続することによって、第３電圧を供給する電圧供給源（補助的な負極性電圧供給源）の出力端の電位（直流バイアス）を安定化させることができる。同様に、第４電圧（補助的な正極性電圧）を供給する電圧供給源（補助的な正極性電圧供給源）の出力端を、第２電圧（正規の正極性電圧）を供給する正規の正極性電圧供給源の出力端とバイアス抵抗で接続することによって、第４電圧を供給する電圧供給源（補助的な正極性電圧供給源）の出力端の電位（直流バイアス）を安定化させることができる。よって、第３電圧および第４電圧の電圧変動を所定幅内に収め易くなる。
【００３１】
（９）本発明の液晶装置の他の態様では、前記正規の電圧供給源は、前記第１電圧を供給する正規の負極性電圧供給源と、前記第２電圧を供給する正規の正極性電圧供給源と、を含み、前記補助的な電圧供給源は、前記第３電圧を供給する補助的な負極性電圧供給源と、前記第４電圧を供給する補助的な正極性電圧供給源と、を含み、前記補助的な負極性電圧供給源の電圧供給端は、前記正規の負極性電圧供給源の出力端と、双方向ダイオードを含む第１のリミッタを経由して接続されており、前記補助的な正極性電圧供給源の電圧供給端は、前記正規の正極性電圧供給源の出力端と、双方向ダイオードを含む第２のリミッタを経由して接続されている。
【００３２】
双方向ダイオードを利用することによって、バイアス抵抗を利用した場合と同様の効果を得ることができる。
【００３３】
（１０）本発明の液晶装置の他の態様では、前記正規の電圧供給源は、前記第１電圧を供給する正規の負極性電圧供給源と、前記第２電圧を供給する正規の正極性電圧供給源と、を含み、前記補助的な電圧供給源は、前記第３電圧を供給する補助的な負極性電圧供給源と、前記第４電圧を供給する補助的な正極性電圧供給源と、を含み、前記補助的な負極性電圧供給源の電圧供給端は、前記正規の負極性電圧供給源の出力端と第１のスイッチを経由して接続されており、前記補助的な正極性電圧供給源の電圧供給端は、前記正規の正極性電圧供給源の出力端と第２のスイッチを経由して接続されている。
【００３４】
第１および第２のスイッチをオンすることによって、第３電圧および第４電圧を供給する電圧供給源（補助的な正極性電圧供給源および負極性電圧供給源）の出力端の電位（直流バイアス）を、迅速に、正規の電圧供給源の出力端と同等のレベルとすることができ、したがって、電位（直流バイアス）の安定化を図ることができる。スイッチは、単独で使用することができ、また、バイアス抵抗と併用することもできる。バイアス抵抗の抵抗値はかなり大きいため、バイアス抵抗単独では、電位（直流バイアス）の安定化するためには相応の時間が必要であるが、スイッチを併用することによって、第３電圧および第４電圧を供給する電圧供給源（補助的な正極性電圧供給源および負極性電圧供給源）の出力端の電位（直流バイアス）を、所望のタイミングで迅速に安定化させることが可能となる。
【００３５】
（１１）本発明の液晶装置の他の態様では、前記第１のスイッチおよび前記第２のスイッチは、前記液晶装置の起動時に所定時間オンされる。
【００３６】
この構成によれば、液晶装置の初期起動時において、第３電圧および第４電圧を供給する電圧供給源（補助的な正極性電圧供給源および負極性電圧供給源）の出力端の電位（直流バイアス）を、迅速に安定化させることができる。
【００３７】
（１２）本発明の液晶装置の他の態様では、前記第１のスイッチおよび前記第２のスイッチは、全走査線が非選択となる期間において、所定の時間間隔で所定時間オンされる。
【００３８】
スイッチは所定間隔で周期的にオンさせることができ、また、スイッチのオンは、画像表示期間以外の期間（例えば、帰線期間）においてオンさせることができる。これによって、第３電圧および第４電圧を供給する電圧供給源（補助的な正極性電圧供給源および負極性電圧供給源）の出力端の電位（直流バイアス）を、常に安定化させることができる。
【００３９】
（１３）本発明の制御回路は、複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置の、前記共通電極に電圧を供給する制御回路であって、負極性の正規の共通電極用電圧である第１電圧を供給する、正規の電源供給源としての第１の電圧供給源と、正極性の正規の共通電極用電圧である第２電圧を供給する、正規の電圧供給源としての第２の電圧供給源と、非選択期間の画素に対応する前記共通電極に印加するための、かつ前記第１電圧と同等もしくは近似するレベルの、負極性の補助的な共通電極用電圧である第３の電圧を供給する、補助的な電圧供給源としての第３の電圧供給源と、選択期間の画素に対応する前記共通電極に印加するための、かつ前記第２電圧と同等もしくは近似するレベルの、正極性の補助的な共通電極用電圧である第４の電圧を供給する、補助的な電圧供給源としての第４の電圧供給源と、前記第１電圧、第２電圧、第３電圧、第４電圧の中から一つを選択して前記共通電極に印加する切換回路と、を有する。
【００４０】
これにより、画素の選択期間において共通電極に供給する正規の共通電極用電圧（第１および第２の電圧）と、画素の非選択期間において共通電極に供給する非選択期間の共通電極用電圧（第３および第４の電圧）とを区別して与えることができる、新規な、コモン振り反転駆動方式の液晶装置用の制御回路を得ることができる。
【００４１】
（１４）本発明の電子機器は、本発明の液晶装置を搭載する。
【００４２】
本発明の液晶装置は、クロストーク電流による表示品質の低下を抑制することができるため、電子機器の画像表示機能が向上し、電子機器の高性能化を図ることができる。
【００４３】
（１５）本発明の液晶装置の駆動方法の一態様では、複数の走査線、複数のデータ線、前記複数の走査線と前記複数のデータ線との交差に対応して設けられた複数の画素電極、および前記画素電極に対向して設けられた共通電極を有する第１基板と、前記第１基板に対向配置された第２基板と、前記第１基板と前記第２基板との間に設けられた液晶と、を有する液晶装置の駆動方法であって、前記走査線がアクティブレベルになって前記画素電極に前記データ線からの正極性の書込み電圧が印加されているときは、前記画素電極に対応する前記共通電極には、負極性の正規の共通電極用電圧としての第１電圧を供給し、前記走査線が非アクティブレベルに変化すると、前記共通電極には、前記第１電圧と同等もしくは近似するレベルであり、かつ前記第１電圧とは別の電圧供給源からの、負極性の補助的な共通電極用電圧としての第２電圧を供給し、前記走査線がアクティブレベルになって前記画素電極に前記データ線からの負極性の書込み電圧が印加されているときは、前記画素電極に対応する前記共通電極には、正極性の正規の共通電極用電圧としての第３電圧を供給し、前記走査線が非アクティブレベルに変化すると、前記共通電極には、前記第３電圧と同等もしくは近似するレベルであり、かつ前記第３電圧とは別の電圧供給源からの、正極性の補助的な共通電極用電圧としての第４電圧を供給する。
【００４４】
これにより、画素の選択期間において共通電極に供給する正規の共通電極用電圧（第１および第２の電圧）と、画素の非選択期間において共通電極に供給する非選択期間の共通電極用電圧（第３および第４の電圧）とを区別して与える、新規な、コモン振り反転駆動方式の液晶装置の駆動方法が実現される。
【００４５】
（１６）本発明の液晶装置の駆動方法の他の態様では、前記共通電極は１水平ライン毎に分割されており、隣接する行の前記共通電極には、互いに逆極性の電圧が印加される。
【００４６】
隣接する共通線（共通電極）毎に印加電圧の極性を反転させることによって、フリッカを抑制する効果を高めることができる。
【発明を実施するための最良の形態】
【００４７】
次に、本発明の実施形態について、図面を参照して説明する。なお、以下に説明する本実施形態は、特許請求の範囲に記載された本発明の内容を不当に限定するものではなく、本実施形態で説明される構成のすべてが、本発明の解決手段として必須であるとは限らない。
【００４８】
以下の説明では、まず、コモン振り極性反転が可能なＦＦＳ液晶の基本的な構成について説明し、次に、本発明の特徴的な部分について説明することとする。
【００４９】
以下の説明では、ＦＦＳ（フリンジ・フィールド・スイッチング）モードの液晶装置を例にとって説明する。これは、ＦＦＳモードの液晶装置が、本発明で採用される極性反転方式を実現するのに適しているからである。ただし、これに限定されるものではなく、ＩＰＳ（イン・プレーン・スイッチング）モードの液晶装置も使用可能である。ＩＰＳ液晶装置は、一般に横電界方式の液晶と呼ばれ、ＦＦＳ液晶装置は、漏れ電界方式あるいは斜め電界方式の液晶と呼ばれるが、横方向の電界を液晶分子の配向に利用している点では、両者、共通しており、本明細書では、ＩＰＳ液晶およびＦＦＳ液晶を含めて「横電界方式の液晶」という。
【００５０】
本発明では、液晶の焼き付き防止のための極性反転に際し、共通電極（コモン電極）と画素電極電位の各々の電位を周期的に反転させる方式（コモン振り反転方式）を採用し、かつ、隣り合うコモン電極を電気的に分離して、奇数番目の共通線によって駆動される共通電極と偶数番目の共通線によって駆動される共通電極の各々に、互いに逆極性の共通電位を与える方式を採用する。
【００５１】
通常の液晶装置（対向基板に設けられた共通電極と、反対側の基板に設けられた画素電極とで液晶を挟むタイプの液晶装置）では、共通電極の面積が大きいために極性反転に時間がかかり、また、共通電極が分割されていないために、上述した奇数番目のコモン線によって駆動されるコモン電極と偶数番目のコモン線によって駆動されるコモン電極の各々に、互いに逆極性の共通電位を与えることが困難である。
【００５２】
したがって、以下の好適な実施形態では、上述のような極性反転制御がし易い、横電界方式の液晶（具体的には、ＦＦＳモードの液晶）を使用する。ただし、通常構成の液晶装置であっても、共通電極を分割することができ、かつ、分割された各共通電極の極性を、分割された共通電極毎に制御し得るのならば、一般的な液晶装置も使用できる可能性がある。すなわち、本発明には、そのような場合も含まれるものとする。
【００５３】
（ＦＦＳモードの液晶装置の全体構成と基本的な動作）
図１は、ＦＦＳモードの液晶装置の全体構成の一例を示す図である。なお、「共通電極」は、図面上では１本の信号線のように記載することができるため、以下の説明では、便宜上、「共通電極」を「共通線」と呼ぶこととする。「共通線」は、「共通電極」と同義語として用いる。したがって、例えば、「共通線用電圧」という場合は、「共通電極用電圧」と言い換えることが可能であり、両者は等価である。
【００５４】
図１に示されるように、液晶装置１は、液晶パネルＡＡと、液晶パネルＡＡに対向配置されて光を出射するバックライト４１と、を備える。この液晶装置１は、バックライト４１からの光を利用して、透過型の表示を行う。
【００５５】
液晶パネルＡＡは、複数の画素５０を有する表示領域Ａと、この表示領域Ａの周辺に設けられて画素５０を駆動する走査線駆動回路１０、データ線駆動回路２０、および制御回路３０を備える。バックライト４１は、液晶パネルＡＡの裏面に設けられ、例えば、冷陰極蛍光管（ＣＣＦＬ）やＬＥＤ（発光ダイオード）、あるいはエレクトロルミネッセンス（ＥＬ）で構成されて、液晶パネルＡＡの画素５０に光を供給する。
【００５６】
以下、液晶パネルＡＡの構成について詳述する。
液晶パネルＡＡは、所定間隔おきに交互に設けられた３２０行の走査線Ｙ１〜Ｙ３２０および３２０行の共通線Ｚ１〜Ｚ３２０と、これら走査線Ｙ１〜Ｙ３２０および共通線Ｚ１〜Ｚ３２０に交差するように設けられた２４０列のデータ線Ｘ１〜Ｘ２４０と、を備える。各走査線Ｙおよび各データ線Ｘの交差部分には、画素５０が設けられている。
【００５７】
画素５０は、ＴＦＴ５１、画素電極５５、この画素電極５５に対向して設けられた共通電極５６、および、一方の電極が共通線Ｚに接続され他方の電極が画素電極５５に接続された蓄積容量５３で構成される。画素電極５５および共通電極５６は、画素容量５４を構成する。
【００５８】
共通電極５６は、走査線Ｙに対応して、１水平ラインごとに分割されている。１水平ラインごとに分割された複数の共通電極５６は、それぞれ、対応する共通線Ｚに接続されている。
【００５９】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００６０】
次に、図２および図３を用いて、図１のＦＦＳモードの液晶装置における画素部の平面構成と断面構成について説明する。
【００６１】
図２は、図１のＦＦＳモードの画素部の拡大平面図である。また、図３は、図２の画素部のＡ−Ａ線に沿う断面図である。図３に示すように、液晶パネルＡＡは、複数の画素電極５５を有する素子基板６０と、この素子基板６０に対向配置された対向基板７０と、素子基板６０と対向基板７０との間に設けられた液晶と、を備える。
【００６２】
図２に示すように、素子基板６０において、各画素５０は、互いに隣り合う２本の導電材料からなる走査線Ｙと、互いに隣り合う２本の導電材料からなるデータ線Ｘと、で囲まれた領域となっている。つまり、各画素５０は、走査線Ｙとデータ線Ｘとで区画されている。
【００６３】
ＴＦＴ５１は、逆スタガ型のアモルファスシリコンＴＦＴであり、走査線Ｙとデータ線Ｘとの交差部の近傍には、このＴＦＴ５１が形成される領域５０Ｃ（図２中破線で囲まれた部分）が設けられている。
【００６４】
まず、素子基板６０について説明する。素子基板６０は、ガラス基板６８を有し、このガラス基板６８の上には、ガラス基板６８の表面荒れや汚れによるＴＦＴ５１の特性の変化を防止するために、素子基板６０の全面に亘って下地絶縁膜（図示省略）が形成されている。
【００６５】
下地絶縁膜の上には、導電材料からなる走査線Ｙが形成されている。走査線Ｙは、隣接する画素５０の境界に沿って設けられ、データ線Ｘとの交差部の近傍において、ＴＦＴ５１のゲート電極５１１を構成する。走査線Ｙ、ゲート電極５１１、および下地絶縁膜の上には、素子基板６０の全面に亘って、ゲート絶縁膜６２が形成されている。
【００６６】
ゲート絶縁膜６２の上のＴＦＴ５１が形成される領域５０Ｃには、ゲート電極５１１に対向して、アモルファスシリコンからなる半導体層（図示省略）、Ｎ＋アモルファスシリコンからなるオーミックコンタクト層（図示省略）が積層されている。このオーミックコンタクト層には、ソース電極５１２およびドレイン電極５１３が積層されて、これにより、アモルファスシリコンＴＦＴが形成されている。
【００６７】
ソース電極５１２は、データ線Ｘと同一の導電材料で形成されている。すなわち、データ線Ｘからソース電極５１２が突出する構成となっている。データ線Ｘは、走査線Ｙおよび共通線Ｚに対して交差するように設けられている。
【００６８】
上述のように、走査線Ｙの上には、ゲート絶縁膜６２が形成され、このゲート絶縁膜６２の上には、データ線Ｘが形成されている。このため、データ線Ｘは、走査線Ｙとはゲート絶縁膜６２により絶縁されている。
【００６９】
データ線Ｘ、ソース電極５１２、ドレイン電極５１３、およびゲート絶縁膜６２の上には、素子基板６０の全面に亘って、第１絶縁膜６３が形成されている。
【００７０】
第１絶縁膜６３の上には、ＩＴＯ（Indium  Tin  Oxide）といった透明導電材料からなる共通線Ｚが形成されている。共通線Ｚは、走査線Ｙに沿って設けられており、この共通線Ｚは、１水平ラインごとに分割された共通電極５６と一体に形成されている。
【００７１】
共通線Ｚ、共通電極５６、および第１絶縁膜６３の上には、素子基板６０の全面に亘って、第２絶縁膜６４が形成されている。
【００７２】
第２絶縁膜６４の上には、共通電極５６に対向する領域に、ＩＴＯ（Indium  Tin  Oxide）といった透明導電材料からなる画素電極５５が形成されている。画素電極５５は、上述の第１絶縁膜６３および第２絶縁膜６４に形成されたコンタクトホール（図示省略）を介して、ドレイン電極５１３に接続されている。
【００７３】
この画素電極５５には、自身と共通電極５６との間で、フリンジフィールド（電界Ｅ）を発生させるための複数のスリット５５Ａが所定間隔おきに設けられている。すなわち、液晶装置１の液晶は、ＦＦＳモードで動作する。
【００７４】
画素電極５５および第２絶縁膜６４の上には、素子基板６０の全面に亘って、ポリイミド膜などの有機膜からなる配向膜（図示省略）が形成されている。
【００７５】
次に、対向基板７０について説明する。
【００７６】
対向基板７０は、ガラス基板７４を有し、このガラス基板７４の上のうち走査線Ｙに対向する位置には、ブラックマトリクスとしての遮光膜７１が形成されている。また、ガラス基板７４の上のうち遮光膜７１が形成されている領域を除く領域には、カラーフィルタ７２が形成されている。
【００７７】
遮光膜７１およびカラーフィルタ７２の上には、対向基板７０の全面に亘って、配向膜（図示省略）が形成されている。
【００７８】
図１に戻って、走査線駆動回路１０は、ＴＦＴ５１をオン状態にする選択電圧を複数の走査線Ｙに順次供給する。例えば、ある走査線Ｙに選択電圧を供給すると、この走査線Ｙに接続されたＴＦＴ５１が全てオン状態となり、この走査線Ｙに係る画素５０が全て選択される。
【００７９】
データ線駆動回路２０は、画像信号をデータ線Ｘに供給し、オン状態のＴＦＴ５１を介して、この画像信号に基づく画像電圧を画素電極５５に書き込む。
【００８０】
ここで、データ線駆動回路２０は、共通電極５６の電圧よりも電位の高い正極性の画像信号をデータ線Ｘに供給して、この正極性の画像信号に基づく画像電圧を画素電極５５に書き込む正極性書込と、共通電極５６の電圧よりも電位の低い負極性の画像信号をデータ線Ｘに供給して、この負極性の画像信号に基づく画像電圧を画素電極５５に書き込む負極性書込と、を１水平ラインごとに交互に行う。
【００８１】
制御回路３０は、第１電圧としての電圧ＶＣＯＭＬと、この電圧ＶＣＯＭＬよりも電位の高い第２電圧としての電圧ＶＣＯＭＨと、を交互に共通線Ｚに供給する。
【００８２】
以上の液晶装置１は、以下のように動作する。すなわち、まず、制御回路３０から共通線Ｚに電圧ＶＣＯＭＬまたは電圧ＶＣＯＭＨのいずれかを選択的に供給する。
【００８３】
具体的には、各共通線Ｚには、１フレーム期間ごとに、電圧ＶＣＯＭＬと電圧ＶＣＯＭＨとを交互に供給する。例えば、ある１フレーム期間において、ｐ行目の共通線Ｚｐ（ｐは、１≦ｐ≦３２０を満たす整数）に電圧ＶＣＯＭＬを供給した場合、次の１フレーム期間では、共通線Ｚｐに電圧ＶＣＯＭＨを供給する。一方、ある１フレーム期間において、共通線Ｚｐに電圧ＶＣＯＭＨを供給した場合、次の１フレーム期間では、共通線Ｚｐに電圧ＶＣＯＭＬを供給する。
【００８４】
また、隣接する共通線Ｚには、互いに異なる電圧を供給する。例えば、ある１フレーム期間において、共通線Ｚｐに電圧ＶＣＯＭＬを供給した場合、同一の１フレーム期間において、（ｐ−１）行目の共通線Ｚ（ｐ−１）と、（ｐ＋１）行目の共通線Ｚ（ｐ＋１）と、に電圧ＶＣＯＭＨを供給する。一方、ある１フレーム期間において、共通線Ｚｐに電圧ＶＣＯＭＨを供給した場合、同一の１フレーム期間において、共通線Ｚ（ｐ−１）と共通線Ｚ（ｐ＋１）とに電圧ＶＣＯＭＬを供給する。
【００８５】
次に、走査線駆動回路１０から３２０行の走査線Ｙ１〜Ｙ３２０に選択電圧を順次供給することで、各走査線Ｙに接続された全てのＴＦＴ５１を順次オン状態にして、各走査線Ｙに係る全ての画素５０を順次選択する。
【００８６】
次に、これら画素５０の選択に同期して、共通電極５６の電圧に応じて、データ線駆動回路２０からデータ線Ｘに、正極性の画像信号と、負極性の画像信号と、１水平ラインごとに交互に供給する。
【００８７】
具体的には、３２０行の共通線Ｚ１〜Ｚ３２０のうち、選択した画素５０に係る共通線Ｚｐに電圧ＶＣＯＭＬを供給した場合には、正極性の画像信号をデータ線Ｘに供給する。一方、３２０行の共通線Ｚ１〜Ｚ３２０のうち、選択した画素５０に係る共通線Ｚｐに電圧ＶＣＯＭＨを供給した場合には、負極性の画像信号をデータ線Ｘに供給する。
【００８８】
すると、走査線駆動回路１０で選択した全ての画素５０に、データ線駆動回路２０からデータ線Ｘおよびオン状態のＴＦＴ５１を介して画像信号が供給されて、この画像信号に基づく画像電圧が画素電極５５に書き込まれる。これにより、画素電極５５と共通電極５６との間に電位差が生じて、駆動電圧が液晶に印加される。
【００８９】
液晶に駆動電圧が印加されると、液晶の配向や秩序が変化して、液晶を透過するバックライト４１からの光が変化する。この変化した光がカラーフィルタを透過することで、階調表示が行われる。
【００９０】
なお、液晶に印加される駆動電圧は、蓄積容量５３により、画像電圧が書き込まれる期間よりも３桁も長い期間に亘って保持される。
【００９１】
図４は、制御回路３０のブロック図である。制御回路３０は、３２０行の走査線Ｙ１〜Ｙ３２０に対応して、３２０個の単位制御回路Ｐ１〜Ｐ３２０を備える。各単位制御回路Ｐには、電圧ＶＣＯＭＬと、電圧ＶＣＯＭＨと、電圧ＶＣＯＭＬまたは電圧ＶＣＯＭＨのいずれかを選択する極性信号ＰＯＬと、が供給される。
【００９２】
単位制御回路Ｐは、極性信号ＰＯＬを保持するラッチ回路Ｑと、極性信号に応じて電圧ＶＣＯＭＬまたは電圧ＶＣＯＭＨのいずれかを選択的に出力する選択回路Ｒと、を有している。
【００９３】
ラッチ回路Ｑは、極性信号ＰＯＬを保持する方法から、２つに大別できる。１つは、１行目の走査線Ｙ１に対応して設けられたラッチ回路Ｑ１と、３２０行目の走査線Ｙ３２０に対応して設けられたラッチ回路Ｑ３２０と、である。もう１つは、上述のラッチ回路Ｑ１、Ｑ３２０を除くラッチ回路Ｑ２〜Ｑ３１９である。
【００９４】
まず、ラッチ回路Ｑ２〜Ｑ３１９について、以下に説明する。ｑ行目（ｑは、２≦ｑ≦３１９を満たす整数）の走査線Ｙｑに対応して設けられたラッチ回路Ｑｑは、否定論理和演算回路（以降、ＮＯＲ回路と呼ぶ）３１と、第１のインバータ３２と、第２のインバータ３３と、第１のクロックドインバータ３４と、第２のクロックドインバータ３５と、を備える。
【００９５】
ＮＯＲ回路３１の２つの入力端子には、それぞれ、（ｑ−１）行目の走査線Ｙ（ｑ−１）と、（ｑ＋１）行目の走査線Ｙ（ｑ＋１）と、が接続されている。ＮＯＲ回路３１の出力端子には、第１のインバータ３２の入力端子と、第１のクロックドインバータ３４の反転入力制御端子と、第２のクロックドインバータ３５の非反転入力制御端子と、が接続されている。
【００９６】
第１のインバータ３２の出力端子には、第１のクロックドインバータ３４の非反転入力制御端子と、第２のクロックドインバータ３５の反転入力制御端子と、が接続されている。
【００９７】
第１のクロックドインバータ３４の入力端子からは、極性信号ＰＯＬが入力される。第１のクロックドインバータ３４の出力端子には、第２のインバータ３３の入力端子が接続されている。
【００９８】
第２のクロックドインバータ３５の入力端子には、第２のインバータ３３の出力端子が接続され、第２のクロックドインバータ３５の出力端子には、第２のインバータ３３の入力端子が接続されている。
【００９９】
以上のラッチ回路Ｑｑは、以下のように動作する。すなわち、走査線Ｙ（ｑ−１）と走査線Ｙ（ｐ＋１）とのうち少なくともいずれかに選択電圧が供給されると、ラッチ回路Ｑｑが備えるＮＯＲ回路３１は、Ｌレベルの信号を出力する。このＬレベルの信号は、第１のクロックドインバータ３４の反転入力制御端子に入力されるとともに、第１のインバータ３２で反転され、Ｈレベルの信号として第１のクロックドインバータ３４の非反転入力端子に入力される。このため、第１のクロックドインバータ３４は、オン状態となり、極性信号ＰＯＬを反転して出力する。この第１のクロックドインバータ３４から反転して出力された極性信号ＰＯＬは、第２のインバータ３３により反転されて出力される。
【０１００】
以上のように、走査線駆動回路により走査線Ｙ（ｑ−１）と走査線Ｙ（ｑ＋１）とのうち少なくともいずれかに選択電圧が供給されると、ラッチ回路Ｑｐは、極性信号ＰＯＬを取り込む。
【０１０１】
一方、走査線Ｙ（ｑ−１）と走査線Ｙ（ｐ＋１）との両方に選択電圧が供給されないと、ラッチ回路Ｑｑが備えるＮＯＲ回路３１は、Ｈレベルの信号を出力する。このＨレベルの信号は、第２のクロックドインバータ３５の非反転入力制御端子に入力されるとともに、第１のインバータ３２で反転され、Ｌレベルの信号として第２のクロックドインバータ３５の反転入力端子に入力される。このため、第２のクロックドインバータ３５は、オン状態となり、第２のインバータ３３から出力された極性信号ＰＯＬを反転して出力する。この第２のクロックドインバータ３５から反転して出力された極性信号ＰＯＬは、再度、第２のインバータ３３により入力される。
【０１０２】
以上のように、走査線駆動回路により走査線Ｙ（ｑ−１）と走査線Ｙ（ｐ＋１）との両方に選択電圧が供給されないと、ラッチ回路Ｑｐは、既に取り込んでいる極性信号ＰＯＬを第２のインバータ３３および第２のクロックドインバータ３５により保持する。
【０１０３】
次に、ラッチ回路Ｑ１、Ｑ３２０について、以下に説明する。
【０１０４】
ラッチ回路Ｑ１、Ｑ３２０は、上述のラッチ回路Ｑｑと比べて、ＮＯＲ回路３１の代わりに、Ｌレベルの信号を出力する低電位電源ＶＬＬを備える。その他の構成は、上述のラッチ回路Ｑｑと同様である。
【０１０５】
これらラッチ回路Ｑ１、Ｑ３２０は、以下のように動作する。すなわち、低電位電源ＶＬＬからは、常にＬレベルの信号が出力される。このＬレベルの信号は、第１のクロックドインバータ３４の反転入力制御端子に入力されるとともに、第１のインバータ３２で反転され、Ｈレベルの信号として第１のクロックドインバータ３４の非反転入力制御端子に入力される。このため、第１のクロックドインバータ３４は、常にオン状態となり、常に極性信号ＰＯＬを反転して出力する。この第１のクロックドインバータ３４から反転して出力された極性信号ＰＯＬは、第２のインバータ３３により反転されて出力される。以上のように、ラッチ回路Ｑ１、Ｑ３２０は、常に極性信号ＰＯＬを取り込む。
【０１０６】
選択回路Ｒは、インバータ３６と、第１のトランスファゲート３７と、第２のトランスファゲート３８と、を有する。
【０１０７】
インバータ３６の入力端子には、ラッチ回路Ｑが備える第２のインバータ３３の出力端子が接続され、インバータ３６の出力端子には、第１のトランスファゲート３７の非反転入力制御端子と、第２のトランスファゲート３８の反転入力制御端子と、が接続されている。
【０１０８】
第１のトランスファゲート３７の反転入力制御端子には、ラッチ回路Ｑが備える第２のインバータ３３の出力端子が接続され、第１のトランスファゲート３７の出力端子には、共通線Ｚが接続されている。
【０１０９】
また、奇数行目の走査線Ｙに対応して設けられた選択回路Ｒが備える第１のトランスファゲート３７の入力端子からは、電圧ＶＣＯＭＨが入力される。一方、偶数行目の走査線Ｙに対応して設けられた選択回路Ｒが備える第１のトランスファゲート３７の入力端子からは、電圧ＶＣＯＭＬが入力される。
【０１１０】
第２のトランスファゲート３８の非反転入力制御端子には、ラッチ回路Ｑが備える第２のインバータ３３の出力端子が接続され、第２のトランスファゲート３８の出力端子には、共通線Ｚが接続されている。
【０１１１】
また、奇数行目の走査線Ｙに対応して設けられた選択回路Ｒが備える第２のトランスファゲート３８の入力端子からは、電圧ＶＣＯＭＬが入力される。一方、偶数行目の走査線Ｙに対応して設けられた選択回路Ｒが備える第２のトランスファゲート３８の入力端子からは、電圧ＶＣＯＭＨが入力される。
【０１１２】
以上の選択回路Ｒは、以下のように動作する。すなわち、ラッチ回路Ｑが備える第２のインバータ３３からＬレベルの極性信号ＰＯＬが出力されると、このＬレベルの極性信号ＰＯＬは、第１のトランスファゲート３７の反転入力制御端子に入力されるとともに、インバータ３６で反転され、Ｈレベルの極性信号ＰＯＬとして第１のトランスファゲート３７の非反転入力制御端子に入力される。このため、第１のトランスファゲート３７は、オン状態となる。
【０１１３】
オン状態となった第１のトランスファゲート３７が、奇数行目の走査線Ｙに対応して設けられた選択回路Ｒが備えるものであれば、電圧ＶＣＯＭＨを共通線Ｚに出力する。一方、オン状態となった第１のトランスファゲート３７が、偶数行目の走査線Ｙに対応して設けられた選択回路Ｒが備えるものであれば、電圧ＶＣＯＭＬを共通線Ｚに出力する。
【０１１４】
一方、ラッチ回路Ｑが備える第２のインバータ３３からＨレベルの極性信号ＰＯＬが出力されると、このＨレベルの極性信号ＰＯＬは、第２のトランスファゲート３８の非反転入力制御端子に入力されるとともに、インバータ３６で反転され、Ｌレベルの極性信号ＰＯＬとして第２のトランスファゲート３８の反転入力制御端子に入力される。このため、第２のトランスファゲート３８は、オン状態となる。
【０１１５】
オン状態となった第２のトランスファゲート３８が、奇数行目の走査線Ｙに対応して設けられた選択回路Ｒが備えるものであれば、電圧ＶＣＯＭＬを共通線Ｚに出力する。一方、オン状態となった第２のトランスファゲート３８が、偶数行目の走査線Ｙに対応して設けられた選択回路Ｒが備えるものであれば、電圧ＶＣＯＭＨを共通線Ｚに出力する。
【０１１６】
以上のラッチ回路Ｑおよび選択回路Ｒを備えた制御回路３０の動作について、図５を用いて説明する。図５は、制御回路３０のタイミングチャートである。
【０１１７】
まず、時刻ｔ１において、極性信号ＰＯＬを電圧ＶＬＬとして、極性信号ＰＯＬをＬレベルとする。すると、単位制御回路Ｐ１、Ｐ３２０は、常に極性信号ＰＯＬを取り込むラッチ回路Ｑ１、Ｑ３２０により、Ｌレベルの極性信号ＰＯＬを取り込んで、選択回路Ｒ１、Ｒ３２０により、電圧ＶＣＯＭＨおよび電圧ＶＣＯＭＬをそれぞれ出力する。このため、単位制御回路Ｐ１に接続された共通線Ｚ１は、電圧ＶＣＯＭＨとなり、単位制御回路Ｐ３２０に接続された共通線Ｚ３２０は、電圧ＶＣＯＭＬとなる。また、電圧ＶＧＨは、８Ｖであり、電圧ＶＧＬは、−１Ｖである。
【０１１８】
次に、時刻ｔ２において、走査線駆動回路１０から１行目の走査線Ｙ１に選択電圧を供給して、走査線Ｙ１の電圧を電圧ＶＧＨとする。すると、走査線Ｙ１に隣接する走査線Ｙ２に対応して設けられた単位制御回路Ｐ２は、ラッチ回路Ｑ２により、Ｌレベルの極性信号ＰＯＬを取り込んで、選択回路Ｒ２により、電圧ＶＣＯＭＬを出力する。このため、単位制御回路Ｐ２に接続された共通線Ｚ２は、電圧ＶＣＯＭＬとなる。
【０１１９】
次に、時刻ｔ３において、走査線駆動回路１０から走査線Ｙ１に選択電圧を供給するのを停止して、走査線Ｙ１の電圧を電圧ＶＧＬとする。
【０１２０】
同時に、走査線駆動回路１０から２行目の走査線Ｙ２に選択電圧を供給して、走査線Ｙ２の電圧を電圧ＶＧＨとする。すると、走査線Ｙ２に隣接する走査線Ｙ３に対応して設けられた単位制御回路Ｐ３は、ラッチ回路Ｑ３により、Ｌレベルの極性信号ＰＯＬを取り込んで、選択回路Ｒ３により、電圧ＶＣＯＭＨを出力する。このため、単位制御回路Ｐ３に接続された共通線Ｚ３は、電圧ＶＣＯＭＨとなる。
【０１２１】
次に、時刻ｔ４において、走査線駆動回路１０から走査線Ｙ２に選択電圧を供給するのを停止して、走査線Ｙ２の電圧を電圧ＶＧＬとする。
【０１２２】
同時に、走査線駆動回路１０から３行目の走査線Ｙ３に選択電圧を供給して、走査線Ｙ３の電圧を電圧ＶＧＨとする。すると、走査線Ｙ３に隣接する走査線Ｙ４に対応して設けられた単位制御回路Ｐ４は、ラッチ回路Ｑ４により、Ｌレベルの極性信号ＰＯＬを取り込んで、選択回路Ｒ４により、電圧ＶＣＯＭＬを出力する。このため、単位制御回路Ｐ４に接続された共通線Ｚ４は、電圧ＶＣＯＭＬとなる。
【０１２３】
また、走査線Ｙ３に隣接する走査線Ｙ２に対応して設けられた単位制御回路Ｐ２は、ラッチ回路Ｑ２により、Ｌレベルの極性信号ＰＯＬを取り込んで、選択回路Ｒ２により、電圧ＶＣＯＭＬを出力する。このため、単位制御回路Ｐ２に接続された共通線Ｚ２は、電圧ＶＣＯＭＬとなる。
【０１２４】
次に、時刻ｔ５において、走査線駆動回路１０から走査線Ｙ３に選択電圧を供給するのを停止して、走査線Ｙ３の電圧を電圧ＶＧＬとする。
【０１２５】
同時に、走査線駆動回路１０から４行目の走査線Ｙ４に選択電圧を供給して、走査線Ｙ４の電圧を電圧ＶＧＨとする。すると、走査線Ｙ４に隣接する走査線Ｙ５に対応して設けられた単位制御回路Ｐ５は、ラッチ回路Ｑ５により、Ｌレベルの極性信号ＰＯＬを取り込んで、選択回路Ｒ５により、電圧ＶＣＯＭＨを出力する。このため、単位制御回路Ｐ５に接続された共通線Ｚ５は、電圧ＶＣＯＭＨとなる。
【０１２６】
また、走査線Ｙ４に隣接する走査線Ｙ３に対応して設けられた単位制御回路Ｐ３は、ラッチ回路Ｑ３により、Ｌレベルの極性信号ＰＯＬを取り込んで、選択回路Ｒ３により、電圧ＶＣＯＭＨを出力する。このため、単位制御回路Ｐ３に接続された共通線Ｚ３は、電圧ＶＣＯＭＨとなる。
【０１２７】
以降、走査線駆動回路１０から奇数行目の走査線Ｙ（ただし、１行目の走査線Ｙ１を除く）に選択電圧を供給すると、時刻ｔ４のように動作し、偶数行目の走査線Ｙ（ただし、３２０行目の走査線Ｙ３２０を除く）に選択電圧を供給すると、時刻ｔ５のように動作する。
【０１２８】
次に、時刻ｔ７において、走査線駆動回路１０から３２０行目の走査線Ｙ３２０に選択電圧を供給するのを停止して、走査線Ｙ３２０の電圧を電圧ＶＧＬとする。
【０１２９】
同時に、極性信号ＰＯＬを電圧ＶＨＨとして、極性信号ＰＯＬをＨレベルとする。すると、単位制御回路Ｐ１、Ｐ３２０は、常に極性信号ＰＯＬを取り込むラッチ回路Ｑ１、Ｑ３２０により、Ｈレベルの極性信号ＰＯＬを取り込んで、選択回路Ｒ１、Ｒ３２０により、電圧ＶＣＯＭＬおよび電圧ＶＣＯＭＨをそれぞれ出力する。このため、単位制御回路Ｐ１に接続された共通線Ｚ１は、電圧ＶＣＯＭＬとなり、単位制御回路Ｐ３２０に接続された共通線Ｚ３２０は、電圧ＶＣＯＭＨとなる。
【０１３０】
次に、時刻ｔ８において、時刻ｔ２と同様に、走査線駆動回路１０から走査線Ｙ１に選択電圧を供給して、走査線Ｙ１の電圧を電圧ＶＧＨとする。すると、単位制御回路Ｐ２は、電圧ＶＣＯＭＨを出力するので、この単位制御回路Ｐ２に接続された共通線Ｚ２は、電圧ＶＣＯＭＨとなる。
【０１３１】
次に、時刻ｔ９において、時刻ｔ３と同様に、走査線駆動回路１０から走査線Ｙ１に選択電圧を供給するのを停止して、走査線Ｙ１の電圧を電圧ＶＧＬとする。
【０１３２】
同時に、時刻ｔ３と同様に、走査線駆動回路１０から走査線Ｙ２に選択電圧を供給して、走査線Ｙ２の電圧を電圧ＶＧＨとする。すると、単位制御回路Ｐ３は、電圧ＶＣＯＭＬを出力するので、この単位制御回路Ｐ３に接続された共通線Ｚ３は、電圧ＶＣＯＭＬとなる。
【０１３３】
次に、時刻ｔ１０において、時刻ｔ４と同様に、走査線駆動回路１０から走査線Ｙ２に選択電圧を供給するのを停止して、走査線Ｙ２の電圧を電圧ＶＧＬとする。
【０１３４】
同時に、時刻ｔ４と同様に、走査線駆動回路１０から走査線Ｙ３に選択電圧を供給して、走査線Ｙ３の電圧を電圧ＶＧＨとする。すると、単位制御回路Ｐ４は、電圧ＶＣＯＭＨを出力するので、この単位制御回路Ｐ４に接続された共通線Ｚ４は、電圧ＶＣＯＭＨとなる。
【０１３５】
また、時刻ｔ４と同様に、単位制御回路Ｐ２は、電圧ＶＣＯＭＨを出力するので、この単位制御回路Ｐ２に接続された共通線Ｚ２は、電圧ＶＣＯＭＨとなる。
【０１３６】
次に、時刻ｔ１１において、時刻ｔ５と同様に、走査線駆動回路１０から走査線Ｙ３に選択電圧を供給するのを停止して、走査線Ｙ３の電圧を電圧ＶＧＬとする。同時に、時刻ｔ５と同様に、走査線駆動回路１０から走査線Ｙ４に選択電圧を供給して、走査線Ｙ４の電圧を電圧ＶＧＨとする。すると、単位制御回路Ｐ５は、電圧ＶＣＯＭＬを出力するので、この単位制御回路Ｐ５に接続された共通線Ｚ５は、電圧ＶＣＯＭＬとなる。
【０１３７】
また、時刻ｔ５と同様に、単位制御回路Ｐ３は、電圧ＶＣＯＭＬを出力するので、この単位制御回路Ｐ３に接続された共通線Ｚ３は、電圧ＶＣＯＭＬとなる。
【０１３８】
以降、走査線駆動回路１０から奇数行目の走査線Ｙ（ただし、走査線Ｙ１を除く）に選択電圧を供給すると、時刻ｔ１０のように動作し、偶数行目の走査線Ｙ（ただし、走査線Ｙ３２０を除く）に選択電圧を供給すると、時刻ｔ１１のように動作する。
【０１３９】
以上の制御回路３０を備えた液晶装置１の動作について、図６、７を用いて説明する。
【０１４０】
図６は、液晶装置１の正極性書込時のタイミングチャートである。図７は、液晶装置１の負極性書込時のタイミングチャートである。
【０１４１】
図６、７において、ＧＡＴＥ（ｒ）は、３２０行の走査線Ｙのうちｒ行目（ｒは、１≦ｒ≦３２０を満たす整数）の走査線Ｙｒの電圧であり、ＳＯＵＲＣＥ（ｓ）は、２４０列のデータ線Ｘのうちｓ列目（ｓは、１≦ｓ≦２４０を満たす整数）のデータ線Ｘｓの電圧である。また、ＰＩＸ（ｒ、ｓ）は、ｒ行目の走査線Ｙｒと、ｓ列目のデータ線Ｘｓと、の交差に対応して設けられたｒ行ｓ列目の画素５０が備える画素電極５５の電圧である。また、ＶＣＯＭ（ｒ）は、ｒ行目の共通線Ｚｒに接続された共通電極５６の電圧である。
【０１４２】
まず、液晶装置１の正極性書込時について、図６を用いて説明する。
【０１４３】
時刻ｔ２１において、制御回路３０により、共通線Ｚｒに電圧ＶＣＯＭＬを供給する。すると、共通線Ｚｒに接続された共通電極５６の電圧ＶＣＯＭ（ｒ）は、徐々に低下して、時刻ｔ２２では、電圧ＶＣＯＭＬとなる。
【０１４４】
共通線Ｚｒに接続された共通電極５６の電圧ＶＣＯＭ（ｒ）が低下すると、ｒ行ｓ列目の画素５０が備える画素電極５５の電圧ＰＩＸ（ｒ、ｓ）は、電圧ＶＣＯＭ（ｒ）と電圧ＰＩＸ（ｒ、ｓ）との電位差を保つように低下する。このため、ｒ行ｓ列目の画素５０が備える画素電極５５の電圧ＰＩＸ（ｒ、ｓ）は、徐々に低下して、時刻ｔ２２では、電圧ＶＰ１となる。
【０１４５】
時刻ｔ２３において、走査線駆動回路１０により、走査線Ｙｒに選択電圧を供給する。すると、走査線Ｙｒの電圧ＧＡＴＥ（ｒ）は、上昇して、時刻ｔ２４では、電圧ＶＧＨとなる。これにより、走査線Ｙｒに接続されたＴＦＴ５１が全てオン状態となる。
【０１４６】
時刻ｔ２５において、データ線駆動回路２０により、データ線Ｘｓに正極性の画像信号を供給する。すると、データ線Ｘｓの電圧ＳＯＵＲＣＥ（ｓ）は、徐々に上昇して、時刻ｔ２６では、電圧ＶＰ３となる。
【０１４７】
データ線Ｘｓの電圧ＳＯＵＲＣＥ（ｓ）は、正極性の画像信号に基づく画像電圧として、走査線Ｙｒに接続されたオン状態のＴＦＴ５１を介して、ｒ行ｓ列目の画素５０が備える画素電極５５に書き込まれる。このため、ｒ行ｓ列目の画素５０が備える画素電極５５の電圧ＰＩＸ（ｒ、ｓ）は、徐々に上昇して、時刻ｔ２６では、データ線Ｘｓの電圧ＳＯＵＲＣＥ（ｓ）と同電位である電圧ＶＰ３となる。
【０１４８】
時刻ｔ２７において、走査線駆動回路１０により、走査線Ｙｒに選択電圧を供給するのを停止する。すると、走査線Ｙｒの電圧ＧＡＴＥ（ｒ）は、低下して、時刻ｔ２８では、電圧ＶＧＬとなる。これにより、走査線Ｙｒに接続されたＴＦＴ５１が全てオフ状態となる。
【０１４９】
次に、液晶装置１の負極性書込時について、図７を用いて説明する。時刻ｔ３１において、制御回路３０により、共通線Ｚｒに電圧ＶＣＯＭＨを供給する。すると、共通線Ｚｒに接続された共通電極５６の電圧ＶＣＯＭ（ｒ）は、徐々に上昇して、時刻ｔ３２では、電圧ＶＣＯＭＨとなる。
【０１５０】
共通線Ｚｒに接続された共通電極５６の電圧ＶＣＯＭ（ｒ）が上昇すると、ｒ行ｓ列目の画素５０が備える画素電極５５の電圧ＰＩＸ（ｒ、ｓ）は、電圧ＶＣＯＭ（ｒ）と電圧ＰＩＸ（ｒ、ｓ）との電位差を保つように上昇する。このため、ｒ行ｓ列目の画素５０が備える画素電極５５の電圧ＰＩＸ（ｒ、ｓ）は、徐々に上昇して、時刻ｔ３２では、電圧ＶＰ６となる。
【０１５１】
時刻ｔ３３において、走査線駆動回路１０により、走査線Ｙｒに選択電圧を供給する。すると、走査線Ｙｒの電圧ＧＡＴＥ（ｒ）は、上昇して、時刻ｔ３４では、電圧ＶＧＨとなる。これにより、走査線Ｙｒに接続されたＴＦＴ５１が全てオン状態となる。
【０１５２】
時刻ｔ３５において、データ線駆動回路２０により、データ線Ｘｓに負極性の画像信号を供給する。すると、データ線Ｘｓの電圧ＳＯＵＲＣＥ（ｓ）は、徐々に低下して、時刻ｔ３６では、電圧ＶＰ４となる。
【０１５３】
データ線Ｘｓの電圧ＳＯＵＲＣＥ（ｓ）は、負極性の画像信号に基づく画像電圧として、走査線Ｙｒに接続されたオン状態のＴＦＴ５１を介して、ｒ行ｓ列目の画素５０が備える画素電極５５に書き込まれる。このため、ｒ行ｓ列目の画素５０が備える画素電極５５の電圧ＰＩＸ（ｒ、ｓ）は、徐々に低下して、時刻ｔ３６では、データ線Ｘｓの電圧ＳＯＵＲＣＥ（ｓ）と同電位である電圧ＶＰ４となる。
【０１５４】
時刻ｔ３７において、走査線駆動回路１０により、走査線Ｙｒに選択電圧を供給するのを停止する。すると、走査線Ｙｒの電圧ＧＡＴＥ（ｒ）は、低下して、時刻ｔ３８では、電圧ＶＧＬとなる。これにより、走査線Ｙｒに接続されたＴＦＴ５１が全てオフ状態となる。
【０１５５】
このように、図１の液晶装置では、電圧ＶＣＯＭＬを共通線Ｚに供給して、共通電極５６の電圧を電圧ＶＣＯＭＬとした後に、正極性の画像信号をデータ線Ｘに供給して、正極性の画像電圧を画素電極５５に書き込む。また、電圧ＶＣＯＭＨを共通線Ｚに供給して、共通電極５６の電圧を電圧ＶＣＯＭＨとした後に、負極性の画像信号をデータ線Ｘに供給して、負極性の画像電圧を画素電極５５に書き込む。これによって、図１の液晶装置は、液晶の焼き付き防止のための極性反転に際し、共通電極（コモン電極，共通線）と画素電極電位の各々の電位を周期的に反転させる方式（コモン振り反転方式）を実現することができる。
【０１５６】
（クロストーク電流についての考察と、本発明の液晶装置の特徴的な構成と動作）
以上説明した液晶装置では、コモン振り反転駆動は実現されるが、データ線Ｘと共通線Ｚとの間に介在する寄生容量に起因して、クロストークが生じる。データ線Ｘを駆動する際に、寄生容量を経由して不要な充放電電流が流れると、その分だけ消費電力が増大する。したがって、省電力化の観点から改善の余地がある。
【０１５７】
また、共通線に電圧を供給する電圧源（正規のアンプ）は、寄生容量を経由して流れる全部のクロストーク電流を負担しており、したがって、正規のアンプの負荷が大きく、このことは、各共通線に供給される電圧に変動が生じる一因となる場合がある。よって、この点でも改善の余地がある。
【０１５８】
これらの点に着目し、本発明では、上述の液晶装置をさらに改良して、寄生容量に起因するクロストークの影響を低減する。以下、図面を参照して具体的に説明する。
【０１５９】
（データ線Ｘと共通線Ｚとの間の寄生容量を経由したクロストークの説明）
図８は、データ線Ｘと共通線Ｚとの間の寄生容量を経由したクロストークについて説明するための模式図である。図８において、前掲の図面と共通する部分には同じ参照符号を付してある。なお、この点は、以下の図面でも同様である。
【０１６０】
図８において、データ線（Ｘ１〜Ｘ２４０）と、共通線（Ｚ１〜Ｚ３２０）との交点ｇには、寄生容量が形成される。すなわち、データ線Ｘと共通線との間には、絶縁膜（例えば、図３に示される絶縁膜６４等）が介在し、データ線Ｘを一極とし、共通線Ｚを他極とする寄生容量Ｃｐｉｘが構成される。
【０１６１】
ここで、図８の液晶装置における全画素が点灯している状態を想定する。この状態は、データ線駆動回路２０におけるデータ線駆動アンプ（ＡＭＰ１）によって、各データ線（Ｘ１〜Ｘ２４０）が同時に駆動され、かつ、制御回路３０に含まれる共通線駆動正規アンプ（ＡＭＰ２およびＡＭＰ３）によって、各共通線（Ｚ１〜Ｚ３２０）が同時に駆動されている、とみることができる。なお、共通線駆動正規アンプ（ＡＭＰ２）は、低レベル共通線電圧（ＶＣＯＭＬ）を生成するアンプであり、共通線駆動正規アンプ（ＡＭＰ３）は、高レベル共通線電圧（ＶＣＯＭＨ）を生成するアンプである。
【０１６２】
図８の液晶装置において発生するクロストークについて具体的に説明する。図９は、図８の液晶装置において、データ線電位の変化（立ち上がり変化）に伴って、データ線側から共通線側に電流が流れる場合における電流経路を示す図である。
【０１６３】
上述のとおり、共通線は全部で３２０本あり、半分の１６０本（例えば奇数番目の共通線）には高レベル共通線電圧ＶＣＯＭＨが印加され、他の半分の１６０本（例えば偶数番目の共通線）には高レベル共通線電圧ＶＣＯＭＬが印加される。１本の共通線Ｚに寄生するトータルの寄生容量をＣとすれば、１６０本分の共通線に対する寄生容量は（Ｃ×１６０）となる。
【０１６４】
よって、図９に示すように、（１６０×Ｃ）の寄生容量を経由する２つの電流ルート（Ｋ１００，Ｋ２００）を経由して、データ線Ｘから共通線Ｚに向かって不要な過渡電流が流れることになる。
【０１６５】
ここで、データ線の電圧の変化幅をＶ１とした場合、電流ルートＫ１００における過渡電流によって消費されるエネルギ（仕事量）、（Ｃ×Ｖ１×１６０×ＶＤＤ）となり、同様に電流ルートＫ２００における過渡電流によって消費されるエネルギ（仕事量）も、（Ｃ×Ｖ１×１６０×ＶＤＤ）となり、消費されるエネルギ（仕事量）は合計で、（Ｃ×Ｖ１×３２０×ＶＤＤ）となる。なお、ＶＤＤは電源電圧である。
【０１６６】
図１０は、図８の液晶装置において、データ線電位の変化（立ち下り変化）に伴って、共通線側からデータ線側に電流が流れる場合における電流経路を示す図である。図示されるように、図９と同様に、２つの過渡電流ルート（Ｋ３００とＫ４００）が存在する。
【０１６７】
データ線の電圧の変化幅をＶ１とした場合、電流ルートＫ３００における過渡電流によって消費されるエネルギは、（Ｃ×Ｖ１×１６０×ＶＤＤ）となり、同様に電流ルートＫ４００における過渡電流によって消費されるエネルギ（仕事量）も、（Ｃ×Ｖ１×１６０×ＶＤＤ）となり、消費されるエネルギ（仕事量）は合計で、（Ｃ×Ｖ１×３２０×ＶＤＤ）となる。
【０１６８】
すなわち、図８および図９における消費エネルギ（仕事量）は、（Ｃ×Ｖ１×３２０×ＶＤＤ）であり、３２０本の共通線分に相当するエネルギが無駄に消費されていることになる。
【０１６９】
また、共通線に電圧を供給する電圧源（正規のアンプ）は、寄生容量を経由して流れる全部のクロストーク電流を負担しており、したがって、正規のアンプの負荷が大きく、このことは、各共通線に供給される電圧に変動が生じる一因となる。
【０１７０】
（本発明におけるクロストークによる影響低減のための基本構成）
クロストークの影響を防止する方法としては、従来例にみられるように、非選択の画素の電位をフローティングとする方法も考えられる。この場合には、電流経路がなくなるために余分な電流は流れないが、電位がフローティング（不定）ゆえに、画素電圧の不安定性が増すことは否めない。
【０１７１】
そこで、本発明では、非選択の画素についての共通線は、フローティングにするのではなく、低消費電力化が可能な簡易構成の補助的な電圧供給源に接続する。つまり、画素の選択期間における共通線用の電圧供給源（正規のアンプ）と、画素の非選択期間における共通線用の電圧供給源（補助的な電圧供給源：発生する電圧の電圧値は正規のアンプと同じ）と、を別個に設け、各共通線に接続された画素が選択期間にあるか、非選択期間にあるか否かによって、共通線の接続先を切換えるという新規な手法を採用する。
【０１７２】
すなわち、画素の選択期間においては、各画素に画素電圧（階調電圧）を正確に書き込むために、共通線電位を高精度に制御する必要がある。しかし、画素への書込みが終了して各画素のトランスファースイッチがオフした後は、各画素の電圧は、蓄積容量５３（十分に大きな容量値をもつ）によって安定的に保持されるのであり、この間は、画素への書込み時ほどの高精度な共通線電位の制御は必要ない。つまり、共通線電位が、仮に微小に変動したとしても、蓄積容量５３によって安定化されている画素電圧には影響はないと考えられる。
【０１７３】
このような知見に基づき、共通線に接続される画素が選択期間から非選択期間に切換わると、これに合わせて、共通線の接続先を、簡易構成の補助的な電圧供給源に切換える。これによって、共通線を駆動する正規のアンプの負荷が軽減され、選択期間の共通線に対して高精度の電圧を供給することが可能となり、同時に、寄生容量を経由して流れる過渡電流による電力消費を低減することもできる。
【０１７４】
図１１は、本発明の液晶装置の構成の概要を示す図である。図１１の構成が図８の構成と異なる点は、制御回路３０における構成である。
【０１７５】
すなわち、図１１において、画素選択期間において低レベル共通線電圧ＶＣＯＭＬを供給する正規のアンプ（正規の電圧源）ＡＭＰ２の他に、画素の非選択期間において低レベル共通線電圧ＶＣＯＭＬを供給する共通腺用電圧供給源（補助的な電圧供給源）ＶＳＣ１が設けられている。
【０１７６】
同様に、画素選択期間において高レベル共通線電圧ＶＣＯＭＨを供給する正規のアンプ（正規の電圧源）ＡＭＰ３の他に、画素の非選択期間において高レベル共通線電圧ＶＣＯＭＨを供給する共通腺用電圧供給源（補助的な電圧供給源）ＶＳＣ２が設けられている。
【０１７７】
そして、各共通線（Ｚ１〜Ｚ３２０）の各々の選択（アクティブ）／非選択（非アクティブ）に応じて、各共通線毎に接続先となる電圧供給源を切換えるための接続切換回路（７００）が設けられている。
【０１７８】
接続切換回路７００には、各走査線（Ｙ１〜Ｙ３２０）の電圧と、複数の極性信号（ＰＯＬ１，ＰＯＬ２）が入力され、接続切換回路７００は、これらの入力信号を制御信号として用いて、共通線（Ｚ１〜Ｚ３２０）の接続先となる電圧供給源（ＡＭＰ２，ＡＭＰ３，ＶＳＣ１，ＶＳＣ２）をダイナミックに選択する。
【０１７９】
図２２は、非選択の共通線のための補助的な電圧供給源（共通線用電圧供給源）の一例（最も簡単な構成例）を示す回路図である。図２２に示されるように、非選択の共通線のための補助的な電圧供給源（共通線用電圧供給源）ＶＳＣ１，ＶＳＣ２は、例えば、容量値が非常に大きなコンデンサ（ＣＬ，ＣＨ）によって構成される。
【０１８０】
コンデンサ（ＣＬ，ＣＨ）の容量値は、例えば、１本の共通線に寄生する寄生容量ｇのトータルの容量値をＣとしたとき、（Ｃ×１６００：図９，図１０に示される（Ｃ×１６０）の１０倍）以上の容量値をもつ。
【０１８１】
このコンデンサ（ＣＬ，ＣＨ）は、蓄積された電荷を放出する際、簡易的な電圧供給源（電流供給源）として機能する。つまり、従来は、寄生容量Ｃ（Ｃｐｉｘ）を介したクロストークが生じたとき、正規のアンプ（ＡＭＰ２，ＡＭＰ３）のいずれかから過渡電流が供給されていたために電力消費が生じた。
【０１８２】
しかし、図２２のようにコンデンサ（ＣＬ，ＣＨ）を設けておき、非選択期間の共通線には、そのコンデンサ（ＣＬ，ＣＨ）を簡易な電圧供給源として用いて、低レベル共通線電圧ＶＣＯＭＬならびに高レベル共通線電圧ＶＣＯＭＨの各々に対応する電圧レベルをもつ「ＶＣＯＭＬ’」ならびに「ＶＣＯＭＨ’」を供給するようにしておけば、クロストークが生じた際、そのコンデンサ（ＣＬ，ＣＨ）が電圧供給源（電流供給源）となって、蓄積された電荷の放電によって電流が流れる。
【０１８３】
上述のとおり、非選択の画素に対応した、補助的な共通線用電圧「ＶＣＯＭＬ’」ならびに「ＶＣＯＭＨ’」の電圧レベルは各々、正規の共通線用電圧「ＶＣＯＭＬ」，「ＶＣＯＭＨ」の各々に対応した電圧レベルとなっている。
【０１８４】
すなわち、非選択の画素に対応した、補助的な共通線用電圧「ＶＣＯＭＬ’」と「ＶＣＯＭＨ’」の各々は、正規の共通線用電圧「ＶＣＯＭＬ」，「ＶＣＯＭＨ」の各々と同等もしくは近似した電圧となっている。
【０１８５】
このコンデンサ（ＣＬ，ＣＨ）を充電する電流は、寄生容量Ｃ（Ｃｐｉｘ）を経由してデータ線Ｘから共通線Ｚ側に流れる過渡電流（クロストーク電流）自身である。寄生容量Ｃ（Ｃｐｉｘ）を経由して共通線Ｚからデータ線Ｘに過渡電流（クロストーク電流）が流れる場合、コンデンサ（ＣＬ，ＣＨ）に蓄積されている電荷（クロストーク電流によって充電された結果としての電荷）を放電するだけであり、したがって、実質的な消電力はゼロとなる。
【０１８６】
また、非選択期間の共通線には、補助的な電圧供給源（ＶＳＣ１，ＶＳＣ２）としてのコンデンサ（ＣＬ，ＣＨ）から電圧が供給されることから、正規の電圧源（正規のアンプＡＭＰ２，ＡＭＰ３）は、選択期間の共通線のみに電圧を供給すればよくなり、これによって、正規の電圧源（正規のアンプＡＭＰ２，ＡＭＰ３）の駆動負荷が小さくなり、結果的に、選択期間の共通線により高精度の電圧を与えることが可能である。
【０１８７】
コンデンサ（ＣＬ，ＣＨ）は、液晶装置における画素部における画像表示に対応するデータ線の電圧変化に伴ったクロストーク電流による充放電を繰り返す。充放電電流は向きも含めてデータ線の電圧変化に比例することからある程度の時間をとればその積分値はほぼ０となることは自明である。（データ線はデータ振幅ＶＳの範囲を逸脱できない、ということはその変化量積分値は±ＶＳの範囲に収まる、ゆえに時間を長くとっていけば平均電流０に漸近してゆく）最悪でも２Ｖ（Ｖは垂直同期期間）とれば液晶駆動の交流化原理により０となる。
【０１８８】
このため、コンデンサ（ＣＬ，ＣＨ）を、非選択期間の共通線（共通電極）に対する電荷の主たる供給源とすることに、さしたる問題はないと考えられる（つまり、コンデンサＣＬ，ＣＨは主たる電圧供給源として十分に役立つと考えられる）。これによって、コモン振り反転駆動を行う液晶装置における、大幅な低消費電力化を図ることができる。
【０１８９】
図１２は、図１１に示される制御回路３０の具体的な構成の一例を示す図である。図１２の制御回路３０によって実現される共通線に対する電圧供給は、基本的には図６，図７に示されるものと同じであり、その動作も、基本的には図５に示される動作を踏襲しており、その回路構成も、図４に示されるものを踏襲している。
【０１９０】
図６，図７に示される電圧供給動作では、共通線が選択期間／非選択期間であるかにかかかわらずに、低レベル共通線電圧（ＶＣＯＭＬ），高レベル共通線電圧（ＶＣＯＭＨ）は共に、正規のアンプ（ＡＭＰ２，ＡＭＰ３）から供給されていたが、ここでは、正規のアンプ（ＡＭＰ２，ＡＭＰ３）からの電圧供給は選択期間の共通線に対してのみ行われ、非選択期間の共通線に対する電圧供給は、補助的な電圧供給源（ＶＳＣ１，ＶＳＣ２）から行われるようにする必要がある。
【０１９１】
図１２の制御回路３０は、選択期間／非選択期間に応じて、共通線の接続先となる電圧供給源を切換えるために、接続切換回路７００を有しており、その接続切換回路７００は、複数のスイッチ回路（ＳＷ１，ＳＷ２〜ＳＷ３２０）を有している。
【０１９２】
スイッチ回路（ＳＷ１）は、２つのスイッチ要素ＳＴ１（１），ＳＴ２（１）を有しており、各スイッチ要素ＳＴ１（１）とＳＴ２（１）によって、選択期間の共通線用の正規の高レベル共通線電圧ＶＣＯＭＨならびに正規の低レベル共通線電圧ＶＣＯＭＬ、あるいは、非選択の共通線用の補助的な高レベル共通線電圧ＶＣＯＭＨ’ならびに補助的な低レベル共通線電圧ＶＣＯＭＬ’の中から、いずれか一つが選択される。
【０１９３】
スイッチ回路（ＳＷ１）に含まれる２つのスイッチ要素ＳＴ１（１）とＳＴ２（１）の切換え制御は、スイッチ選択回路６００（１）によって行われる。このスイッチ選択回路６００（１）は、走査線Ｙ１の電圧と、２つの極性信号（ＰＯＬ１，ＰＯＬ２）とに基づいて切換制御信号Ｐ（１）を生成し、この切換制御信号Ｐ（１）によって、２つのスイッチ要素ＳＴ１（１）とＳＴ２（１）におけるスイッチの切換が実現される。他のスイッチ回路（ＳＷ２〜ＳＷ３２０）についても同様である。
【０１９４】
（本発明の液晶装置の基本的な動作）
【０１９５】
図１２に示す制御回路３０の働きによって、本発明の液晶装置（全体構成は図１と同じ）は、以下のような特徴的な動作を行う。
【０１９６】
すなわち、図１の全体構成をもつ本発明の液晶装置１は、まず、制御回路３０から選択電圧となる走査線Ｙｎに対応した共通線Ｚｎに、低レベル共通線電圧ＶＣＯＭＬまたは高レベル共通線電圧ＶＣＯＭＨのいずれかを選択的に供給する。
【０１９７】
その後、走査線Ｙｎが非選択電圧になってから次に選択電圧となるまでの期間は、直前にＶＣＯＭＬが供給されたのであれば、その共通線には補助的な電圧供給源ＶＳＣ１からの低レベル共通線電圧ＶＣＯＭＬ’が与えられ、直前にＶＣＯＭＨが供給されていたのであれば、その共通線には補助的な電圧供給源ＶＳＣ２からの高レベル共通線電圧ＶＣＯＭＨ’が与えられる。
【０１９８】
走査線Ｙnが選択電圧となる期間に着目すれば、各共通線Ｚｎには、１フレーム期間毎に、電圧ＶＣＯＭＬと電圧ＶＣＯＭＨとが交互に供給される。また、隣接する共通線Ｚには、対応する走査線が選択電圧となる期間、ＶＣＯＭＬとＶＣＯＮＨのうち互いに異なる電圧が供給される。
【０１９９】
このように、制御回路３０は、第１電圧としての電圧ＶＣＯＭＬと、この電圧ＶＣＯＭＬよりも電位の高い第２電圧としての電圧ＶＣＯＭＨと、ほぼ電圧ＶＣＯＭＬとなる電圧ＶＣＯＭＬ’、ほぼ電圧ＶＣＯＭＨとなる電圧ＶＣＯＭＨ’のいずれかを共通線Ｚに供給することになる。
【０２００】
（非選択期間の共通線を補助的な電圧供給源に接続することの効果）
【０２０１】
図１３は、非選択期間の共通線を補助的な電圧供給源に接続することの効果（データ線から共通線へのクロストーク電流の低減効果）を説明するための図である。同じく図１４は、非選択期間の共通線を補助的な電圧供給源に接続することの効果（共通線からデータ線へのクロストーク電流の低減効果）を説明するための図である。
【０２０２】
図１３および図１４においては、ＶＣＯＭＬ’を供給する電圧源ＶＳＣ１は、コンデンサＣＬと、コンデンサＣＬの電圧変化幅を制限するための不感帯をもつ補助アンプ（ＶＣＯＭＬ’用アンプ）とからなっている。
【０２０３】
同様に、ＶＣＯＭＨ’を供給する電圧源ＶＳＣ２は、コンデンサＣＨと、コンデンサＣＨの電圧変化幅を制限するための不感帯をもつ補助アンプ（ＶＣＯＭＨ’用アンプ）とからなっている。
【０２０４】
図２１を用いて説明したように、ＶＳＣ１，ＶＳＣ２は、基本的には、コンデンサＣＬ，ＣＨのみで構成できるのであるが、これだけでは、発生する電圧が不安定であるため、図１３，図１４では、コンデンサＣＬ，ＣＨの各電圧が大きく変動しないように、電圧の変動幅を制限するための補助アンプ（ＶＣＯＭＬ’用アンプ，ＶＣＯＭＨ’用アンプ）を設けている。
【０２０５】
ＶＣＯＭＬ’用アンプ，ＶＣＯＭＨ’用アンプは各々、不感帯を有するＢ級アンプであり、コンデンサＣＬ，ＣＨが許容範囲内の電圧を発生している場合には、出力段の高レベル電圧源側のトランジスタと低レベル電圧源側のトランジスタは共にオフしており、出力端はハイインピーダンス状態となっており、電圧供給には関与しない。ただし、コンデンサＣＬ，ＣＨの電圧が許容範囲を外れる場合には、ＶＣＯＭＬ’用アンプまたはＶＣＯＭＨ’用アンプが動作して、コンデンサＣＬ，ＣＨの電圧を規制する。
【０２０６】
したがって、図１３，図１４の補助的な電圧供給源ＶＳＣ１，ＶＳＣ２は、図２１のコンデンサＣＬ，ＣＨのみの構成をもつ場合に比べて、電圧変動が所定範囲内に抑制されている点で信頼性が向上している。なお、Ｂ級アンプにおける不感帯を設ける技術は、図１８を用いて、後に具体的に述べる。
【０２０７】
図１３において、ＶＣＯＭＬとＶＣＯＭＨは液晶への書き込み電圧の基準となるため、非常に高精度な電圧が要求される。よって、正規のアンプＡＭＰ２，ＡＭＰ３は、極力不感帯を小さくしたアンプ（ＡＢ級アンプ）となっている。
【０２０８】
ここで、図１３のクロストーク電流の経路について考察する。ここでは、ＱＶＧＡ（２４０×ＲＧＢ×３２０）の液晶パネルを想定する。図１３では、１水平ラインあたりのデータ線Ｘと共通線Ｚ間の寄生容量をＣとする。また、コンデンサＣＬ，ＣＨの容量値は、データ線Ｘの変化に応じて発生する寄生容量Ｃの充放電電流（クロストーク電流）に対してＶＣＯＭＨ’ならびにＶＣＯＭＬ’の電圧変化が、ＶＣＯＭＨ’用アンプならびにＶＣＯＭＬ’用アンプの不感帯に収まるように設定されていると仮定する。
【０２０９】
図１３では、クロストーク電流経路として、Ｋ１〜Ｋ３の３つの経路が存在する。Ｋ１は、データ線から、選択期間にある１本の共通線に向けて流れるクロストーク電流の経路である。Ｋ２は、選択されている共通線と同じグループに属する他の１５９本の共通線に向けて流れるクロストーク電流の経路である。Ｋ３は、選択されている共通線とは異なるグループ（つまり、反対極性で駆動される共通線のグループ）に属する１６０本の共通線に向けて流れるクロストーク電流の経路である。以下、具体的に説明する。
【０２１０】
上述のとおり、対応する走査線Ｙに選択電圧があたえられている共通線Ｚのうちの１本がＶＣＯＭＨかＶＣＯＭＬに接続される（どちらでも同様であるため、図１３では、ＶＣＯＭＬに接続されている場合を想定して描かれている）。
【０２１１】
残りの共通線のうち１５９本がＶＣＯＭＬ’に接続され、他の１６０本の共通線がＶＣＯＭＨ’に接続される。
【０２１２】
この状態でデータ線Ｘの立ち上がり期間における電荷の移動を考える。ここでは、データ線の電圧変化をＶ１とする。
【０２１３】
選択されている１本の共通線に関しては、電源ＶＤＤと、データ線駆動用のアンプ（ＡＭＰ１）と、寄生容量Ｃと、正規のアンプ（ＡＭＰ２）と、によって構成される経路Ｋ１を経由して、グランドに向かって電荷が移動する。このとき、消費されるエネルギ（仕事量）は、（Ｃ×Ｖ１×ＶＤＤ）となる。
【０２１４】
また、他の１５９本の共通線に関して、経路Ｋ２を経由して流れるクロストーク電流によって消費されるエネルギ（仕事量）は、（Ｃ×Ｖ１×１５９×ＶＤＤ）となる。
【０２１５】
また、逆極性で駆動される他の１６０本の共通線に関して、経路Ｋ３を経由して流れるクロストーク電流によって消費されるエネルギ（仕事量）は、（Ｃ×Ｖ１×１６０×ＶＤＤ）となる。
【０２１６】
図１３における消費電力は、図９の場合と実質的には変わらない。ただし、図１３の場合、経路Ｋ２，Ｋ３を経由して流れるクロストーク電流（ＩＳ１ａ，ＩＳ１ｂ）は、補助的な電圧供給源ＶＳＣ１，ＶＳＣ２を構成するコンデンサＣＬおよびコンデンサＣＨを充電する。これによって、次に、共通線からデータ線に向けてクロストーク電流を流すときは、これらのコンデンサＣＬ，ＣＨが実質的な電圧供給源として機能することになる。
【０２１７】
次に、データ線Ｘの立ち下がり期間における電荷の移動を考える。ここでは、データ線の電圧変化をＶ１とする。
【０２１８】
この場合には、図１４に示すように、Ｋ４〜Ｋ６のクロストーク電流の経路が存在する。すなわち、経路Ｋ４では、ＶＤＤと、ＶＣＯＭＬの正規のアンプ（ＡＭＰ２）と、寄生容量Ｃと、データ線駆動用アンプ（ＡＭＰ１）を介して、データ線駆動用アンプの負側電源（グランド）に向かって電荷が移動する。この場合に消費されるエネルギ（仕事量）は、Ｃ×Ｖ１×ＶＤＤである。
【０２１９】
経路Ｋ５では、グランドから、コンデンサＣＬと、寄生容量Ｃと、データ線駆動アンプ（ＡＭＰ１）と、を経由してグランドに向かって電荷が移動する。しかし、始点電位、終点電位がともにグランド（ＧＮＤ）であるから、消費されるエネルギは（Ｃ×Ｖ１×１５９×０＝０）となって、エネルギは消費されない。
【０２２０】
また、経路Ｋ６では、グランドから、コンデンサＣＨと、寄生容量Ｃと、データ線駆動アンプ（ＡＭＰ１）と、を経由してグランドに向かって電荷が移動する。しかし、始点電位、終点電位がともにグランド（ＧＮＤ）であるから、消費されるエネルギは（Ｃ×Ｖ１×１６０×０＝０）となって、エネルギは消費されない。
【０２２１】
したがって、図１３および図１４において消費されるエネルギのトータル量は、（Ｃ×Ｖ１×１６１×ＶＤＤ）となる。図９および図１０において消費されるエネルギのトータル量は、（Ｃ×Ｖ１×３２０×ＶＤＤ）である。したがって、図１３および図１４の構成では、図９および図１０の構成に比べて、クロストーク電流による消費電力が約１／２に低減されることになる。
【０２２２】
また、図１３および図１４から明らかなように、共通線を駆動する正規のアンプ（ＡＭＰ２：あるいはＡＭＰ３）が担当するのは、選択されている共通線１本だけであり、他の３１９本は、補助的な共通線用の電圧供給源（ＶＳＣ１またはＶＳＣ２）が担当する。よって、共通線を駆動する正規のアンプ（ＡＭＰ２あるいはＡＭＰ３）の負担が減り、より高精度な電圧を選択されている共通線に供給できるようになる。
【０２２３】
（補助的な共通線用の電圧供給源ＶＳＣ１またはＶＳＣ２の構成についての考察）
図１５（Ａ）および図１５（Ｂ）は、補助的な共通線用の電圧供給源（ＶＳＣ１またはＶＳＣ２）の構成についての考察を説明するための波形図である。
【０２２４】
図１５では、データ線ＸがＶ１だけ立ち上がる期間（期間（１））と、Ｖ１だけ立ち下がる期間（期間（２））において、正規の共通線電圧ＶＣＯＭＨおよびＶＣＯＭＬと、補助的な電圧供給源（ＶＳＣ１，ＶＳＣ２）から供給されるＶＣＯＭＨ’ならびにＶＣＯＭＬ’とが、どのように変動するかを説明するための図である。
【０２２５】
図１５に示されるように、正規の共通線電圧ＶＣＯＭＨおよびＶＣＯＭＬは、高精度のＡＢ級アンプ（ＡＭＰ２，ＡＭＰ３）によって生成されるため、まったく変動しない。これに対し、補助的な共通線用の電圧供給源（ＶＳＣ１またはＶＳＣ２）は、基本的には、図２１に示すようにコンデンサ（ＣＬ，ＣＨ）で構成されるため、ＶＣＯＭＨ’およびＶＣＯＭＬ’は、データ線Ｘの電位変化の影響を受けて、若干、変動する。
【０２２６】
仮に、補助的な共通線用の電圧供給源（ＶＳＣ１またはＶＳＣ２）が、図２１に示すように、コンデンサ（ＣＬ，ＣＨ）のみで構成されるのであれば、図１５の右端のＴＱ期間に示すように、ＶＣＯＭＨ’およびＶＣＯＭＬ’が大きく変動するような場合も、ないとは言えない。このことは、画素電圧を不安定化させるため、書込み時の精度に影響を与えることがないとは言えない。
【０２２７】
そこで、補助的な電圧供給源（ＶＳＣ１，ＶＳＣ２）については、コンデンサＣＬ，ＣＨの他に、電圧変動を制限するための手段を付加して、ＶＣＯＭＨ’およびＶＣＯＭＬ’の電圧変動幅を限定するのが望ましい。
【０２２８】
図１５（Ｂ）は、補助的な電圧供給源（ＶＳＣ１，ＶＳＣ２）において、コンデンサ（ＣＬ，ＣＨ）の他に、電圧変動を制限するための手段を付加して、ＶＣＯＭＨ’およびＶＣＯＭＬ’の電圧変動の上限および下限を規定した場合の電圧波形を示している。
【０２２９】
図示されるように、ＶＣＯＭＨ’の上限値はＶＬＴ１であり、下限値はＶＬＴ２となり、変動幅はΔＶ１に抑制される。
【０２３０】
同様に、ＶＣＯＭＬ’の上限値はＶＬＴ３であり、下限値はＶＬＴ４となり、変動幅はΔＶ２に抑制される。
【０２３１】
このような、ＶＣＯＭＨ’およびＶＣＯＭＬ’の上限と下限の制限は、図１３および図１４で説明したように、不感帯をもつＢ級アンプ（ＶＣＯＭＨ’用アンプおよびＶＣＯＭＬ’用アンプ）を設け、不感帯幅を、上記の許容電圧幅ΔＶ１およびΔＶ２の各々に合わせることによって実現される。
【０２３２】
逆に言えば、Ｂ級アンプの不感帯幅に合わせて、コンデンサＣＨおよびコンデンサＣＬの容量値を決定すればよい。この場合、コンデンサＣＨおよびコンデンサＣＬの容量値は、例えば、以下のようにして決定することができる。
【０２３３】
１水平ラインあたりのデータ線Ｘと共通線Ｚ間の寄生容量をＣとし、総ライン数をｎとし、データ線Ｘの最大変化量(例えば正極性オン書込電圧と負極性オン書込電圧の電圧差の絶対値）をＶ１とする。
【０２３４】
ＶＣＯＭＨ’ならびにＶＣＯＭＬ’についてのＢ級アンプの不感帯の電圧幅をΔＶＣＯＭＨ’ならびにΔＶＣＯＭＬ’とする。また、コンデンサＣＨ，ＣＬの各々の容量値を（ＣＨ，ＣＬ）とする。
【０２３５】
この場合、ΔＶＣＯＭＨ’＞Ｃ×（ｎ／２）×Ｖ１／（ＣＨ・ΔＶＣＯＭＬ’）＞Ｃ×ｎ／２×Ｖ１／ＣＬ）が成立すればよいから、各コンデンサの容量値は、以下のようにして決定される。
ＣＨ＞Ｃ×n／２×Ｖ１／ΔＶＣＯＭＨ’
ＣＬ＞Ｃ×n／２×Ｖ１／ΔＶＣＯＭＬ’
以上の容量値の設定方法は一例であり、これに限定されるものではない。
【０２３６】
（不感帯をもつＢ級アンプの回路構成の例）
次に、不感帯をもつＢ級アンプ（図１３，図１４に示されるＶＳＣ１，ＶＳＣ２を構成するＶＣＯＭＬ’用アンプならびにＶＣＯＭＨ’用アンプ）の回路構成の一例について説明する。
【０２３７】
このＢ級アンプは、上述のコンデンサＣＬ，ＣＨの電圧が許容範囲内にあるときは、不感帯が設定されていることから、電圧供給にはまったく関与しない。一方、上述のコンデンサＣＬ，ＣＨの電圧が許容範囲外になると、Ｂ級アンプが動作して、電圧変動を規制する。つまり、このＢ級アンプは、コンデンサＣＬ，ＣＨの電圧のリミッタとして動作し、これによって、ＶＣＯＭＬ’およびＶＣＯＭＨ’の電圧変動を許容範囲内に収め、信頼度低下を防止する働きをする。
【０２３８】
図１６（Ａ）〜図１６（Ｃ）の各々は、不感帯をもつＢ級アンプの回路構成の一例について説明するための図である。
【０２３９】
図１６（Ａ）の回路は、上側のカレントミラーを構成するＰＭＯＳトランジスタ（Ｍ１とＭ２）のチャネルコンダクタンス（Ｗ／Ｌ）を変えて、上側のカレントミラーを意図的にアンバランス化し、また、下側のカレントミラーを構成するＮＭＯＳトランジスタ（Ｍ５とＭ６）のチャネルコンダクタンス（Ｗ／Ｌ）を変えて、下側のカレントミラーを意図的にアンバランス化し、これによってオフセットを設け、不感帯を形成する。
【０２４０】
したがって、図１６（Ａ）のアンプは、図１６（Ｂ）の入出力特性をもつようなＡＢ級アンプではなく、図１６（Ｃ）に示すような不感帯ＱＨをもつＢ級アンプとなる。
【０２４１】
以下、図１６（Ａ）の回路構成とその動作について具体的に説明する。
図１６（Ａ）のＢ級増幅回路は、入力端４０１、出力端４０２をそれぞれ差動入力とするＮチャンネル差動入力回路及びＰチャンネル差動入力回路と、ＰチャンネルＭＯＳトランジスタＭ９からなるＰチャンネル出力駆動回路と、ＮチャンネルＭＯＳトランジスタＭ１０からなるＮチャンネル出力駆動回路とで構成されている。
【０２４２】
Ｎチャンネル差動入力回路は、ＮチャンネルＭＯＳトランジスタＭ３、Ｍ４からなる差動入力対、ＰチャンネルＭＯＳトランジスタＭ１、Ｍ２からなるカレントミラー、及び定電流源ＣＳ１で構成される。ＰチャンネルＭＯＳトランジスタＭ１のドレインはＮチャンネルＭＯＳトランジスタＭ３のドレインと接続されＰチャンネル出力駆動回路のＰチャンネルＭＯＳトランジスタＭ９のゲートに接続されている。
【０２４３】
また、Ｐチャンネル差動入力回路は、ＰチャンネルＭＯＳトランジスタＭ７、Ｍ８からなる差動入力対、ＮチャンネルＭＯＳトランジスタＭ５、Ｍ６からなるカレントミラー、及び電流源ＣＳ２で構成される。ＮチャンネルＭＯＳトランジスタＭ５のドレインはＰチャンネルＭＯＳトランジスタＭ７のドレインと接続されＮチャンネル出力駆動回路のＮチャンネルＭＯＳトランジスタＭ１０のゲートに接続されている。
【０２４４】
Ｎチャンネル差動入力回路では、入力端子４０１の電圧が出力端子４０２の電圧と等しいときはＰチャンネルＭＯＳトランジスタＭ９が必ずオフとなるように、カレントミラー回路を構成するＰチャンネルＭＯＳトランジスタＭ１のチャンネル幅は、ＰチャンネルＭＯＳトランジスタＭ２のチャンネル幅より大きく設定されている。ＰチャンネルＭＯＳトランジスタＭ１のチャンネル幅が、ＰチャンネルＭＯＳトランジスタＭ２のチャンネル幅より十分に大きければ、入力端４０１の電圧が出力端４０２の電圧と等しい時、ＰチャンネルＭＯＳトランジスタＭ１のソースドレイン間電圧は、ＰチャンネルＭＯＳトランジスタＭ９の閾値以下の電圧となり、ＰチャンネルＭＯＳトランジスタＭ９はオフする。ＰチャンネルＭＯＳトランジスタＭ１とＰチャンネルＭＯＳトランジスタＭ２とのチャンネル幅の差によって入力端４０１と出力端４０２の電圧が等しいときＰチャンネル出力駆動回路が必ずオフするようなオフセットが与えられていると考えてもよい。なお、ＮチャンネルＭＯＳトランジスタＭ３とＮチャンネルＭＯＳトランジスタＭ４のチャンネル幅は同じである。
【０２４５】
このようにＮチャンネル差動入力回路はオフセットを持っているので入力端４０１の電圧が出力端４０２の電圧より高いときにはＰチャンネルＭＯＳトランジスタＭ９を導通させるが、入力端４０１の電圧が出力端４０２の電圧と等しいか、低いときはＰチャンネルＭＯＳトランジスタＭ９は非導通となる。
【０２４６】
同様にＰチャンネル差動入力回路では、ＰチャンネルＭＯＳトランジスタＭ７とＰチャンネルＭＯＳトランジスタＭ８のチャンネル幅は等しいが、ＮチャンネルＭＯＳトランジスタＭ５のチャンネル幅は、ＮチャンネルＭＯＳトランジスタＭ６のチャンネル幅より大きく設定されている。ＮチャンネルＭＯＳトランジスタＭ５とＮチャンネルＭＯＳトランジスタＭ６とのチャンネル幅の差によってＰチャンネルＭＯＳトランジスタＭ７とＰチャンネルＭＯＳトランジスタＭ８で構成される差動入力部に同一電圧が入力されたときＮチャンネル出力駆動回路のＮチャンネルＭＯＳトランジスタＭ１０が必ずオフするようなオフセットを持たせるためである。
【０２４７】
このオフセットのため、Ｐチャンネル差動入力回路と同様にＮチャンネル差動入力回路では、入力端４０１の電圧が出力端４０２の電圧より低いときにはＮチャンネルＭＯＳトランジスタＭ１０を導通させるが、入力端４０１の電圧が出力端４０２の電圧と等しいか、高いときはＮチャンネルＭＯＳトランジスタＭ１０は非導通となる。
【０２４８】
上述したように図４の増幅回路では、出力端子４０２に対する入力端子４０１の電圧がＮチャンネル差動入力回路のオフセット電圧より低く、Ｐチャンネル差動入力回路のオフセット電圧より高い場合には、入力端子の電圧は不感帯にあることとなり、Ｐチャンネル出力駆動回路、Ｎチャンネル出力駆動回路が共にオフとなり、出力ハイインピーダンスとなる。
【０２４９】
たとえば、Ｎチャンネル差動入力回路のオフセット電圧が０．２Ｖ、Ｐチャンネル差動入力回路のオフセット電圧が−０．２Ｖで、出力端子４０２の電圧が２Ｖだとすると、入力端子４０１の電圧が１．８Ｖから２．２Ｖの範囲が不感帯となり、出力ハイインピーダンスとなる。出力がハイインピーダンスとなるときは入力段のバイアス電流しか消費電流は流れない。
【０２５０】
一方、入力端子４０１の電圧がこの不感帯の範囲外にあるときは、Ｐチャンネル出力駆動回路または、Ｎチャンネル出力駆動回路のどちらか、一方が導通し、入力端子４０１と出力端子４０２との電位差が小さくなるように出力端子を駆動する。
【０２５１】
このように、図１６のＢ級アンプは、入力端と出力端との間にオフセットを設けて不感帯を実現している。上述の説明では、出力電圧を固定して、入力に不感帯を設けた場合に説明したが、入力電圧を固定して考えれば、出力に不感帯が設けられていることになる（本発明では、後者の利用形態となる）。
【０２５２】
（本発明の液晶装置における駆動波形の説明）
図１７は、本発明の液晶装置における、正極性書込み時の各部の駆動波形を示す波形図である。図１８は、本発明の液晶装置における、負極性書込み時の各部の駆動波形を示す波形図である。
【０２５３】
図１７および図１８の駆動波形は、図６および図７の駆動波形と基本的には同じである。ただし、上述のとおり、図６および図７では、共通線Ｚには、常に正規の共通線電圧（ＶＣＯＭＬ，ＶＣＯＭＨ）が供給されているのに対し、図１７および図１８では、共通線の選択期間においては正規の電圧（ＶＣＯＭＬ，ＶＣＯＭＨ）が供給され、非選択期間では、共通線には、ＶＣＯＭＬ’およびＶＣＯＭＨ’が接続され、この点のみ、異なっている。
【０２５４】
非選択期間用の共通線電圧（ＶＣＯＭＬ’およびＶＣＯＭＨ’）の各々は、正規の共通線電圧（ＶＣＯＭＬ，ＶＣＯＭＨ）と同レベルの電位であるが、若干の電圧変動が生じ得る電圧である。
【０２５５】
したがって、図１７の右端の期間ＷＴ１において、ｒ行目の共通線の電圧（ＶＣＯＭ（ｒ））は若干、変動しており、ｒ行Ｓ列の画素の電圧（ＰＩＸ（ｒ，ｓ）もこれに対応して若干変動する。しかし、実際には、各画素には、大容量の蓄積容量５３が設けられているため、画素電圧の変動は生じず、何ら問題は生じない。図１８の右端の期間ＷＴ２においても、ｒ行目の共通線の電圧（ＶＣＯＭ（ｒ））は若干、変動しており、ｒ行Ｓ列の画素の電圧（ＰＩＸ（ｒ，ｓ）もこれに対応して若干変動する。しかし、図１７の場合と同様に、実際には、各画素には大容量の蓄積容量５３が設けられているため、画素電圧の変動は生じず、何ら問題は生じない。
【０２５６】
（非選択期間用の共通線電圧ＶＣＯＭＬ’およびＶＣＯＭＨ’を発生する電圧供給源の回路構成の変形例）
【０２５７】
図１９は、非選択期間用の共通線電圧ＶＣＯＭＬ’およびＶＣＯＭＨ’を発生する電圧供給源の回路構成の変形例を示す図である。
【０２５８】
図１９の場合、ＶＣＯＭＬのラインとＶＣＯＭＬ’のラインとの間に、非常に高抵抗のバイアス抵抗ＲＬが設けられている。また、ＶＣＯＭＨのラインとＶＣＯＭＨ’のラインとの間に、非常に高抵抗のバイアス抵抗ＲＨが設けられている。
【０２５９】
この構成によって、ＶＣＯＭＬ’およびＶＣＯＭＨ’のバイアス点（電圧が変動する場合の中心の電圧）は、正規の電圧ＶＣＯＭＨならびにＶＣＯＭＬとなる。これによって、ＶＣＯＭＬ’およびＶＣＯＭＨ’の電圧変動は、正規の電圧ＶＣＯＭＨならびにＶＣＯＭＬを中心とした変化となり、この結果、電圧変動が、許容範囲内に収められる可能性が高くなる。よって、ＶＣＯＭＨ’およびＶＣＯＭＬ’についてのＢ級アンプの不感帯領域を有効利用し、効果的に消費電力を削減することができる。
【０２６０】
なお、図１９の場合、コンデンサ（ＣＨ、ＣＬ）、バイアス抵抗（ＲＨ、ＲＬ）を適当な値とすることにより画素トランジスタのオフ状態を保持しつつＶＣＯＭＨ’用のアンプおよびＶＣＯＭＬ’用のアンプのアイドリング電流分の消費電力を削減することも可能である。
【０２６１】
図２０は、非選択期間用の共通線電圧ＶＣＯＭＬ’およびＶＣＯＭＨ’を発生する電圧供給源の回路構成の他の変形例を示す図である。
【０２６２】
図２０の場合、ＶＣＯＭＬのラインとＶＣＯＭＬ’のラインとの間に、双方向ダイオード（ＤＩ１，ＤＩ２）からなる電圧リミッタ（ＬＩＭ１）が設けられている。また、ＶＣＯＭＨのラインとＶＣＯＭＨ’のラインとの間に、双方向ダイオード（ＤＩ３，ＤＩ４）からなる電圧リミッタ（ＬＩＭ２）が設けられている。この場合にも、ＶＣＯＭＬ’およびＶＣＯＭＨ’の電圧変動は、正規の電圧ＶＣＯＭＨならびにＶＣＯＭＬに基づいて規制されることになり、この結果、電圧変動が、許容範囲内に収められる可能性が高くなる。よって、ＶＣＯＭＨ’およびＶＣＯＭＬ’についてのＢ級アンプの不感帯領域を有効利用し、効果的に消費電力を削減することができる。
【０２６３】
非選択期間用の共通線電圧ＶＣＯＭＬ’およびＶＣＯＭＨ’を発生する電圧供給源の回路構成は、上記のものに限定されるものではなく、種々、変形が可能である。例えば、ＶＣＯＭＨ’およびＶＣＯＭＬ’のある程度の電圧変動が許容されるのであれば、ＶＣＯＭＨ’用アンプならびにＶＣＯＭＬ’用アンプを停止させる、あるいは無くすることも可能である。
【０２６４】
ＶＣＯＭＨ’用アンプならびにＶＣＯＭＬ’用アンプを、低消費電力モードのときのみ停止させるような変形例も考えられる。低消費モードとなる場合としては、２値表示時や、部分表示時が考えられる。表示モードに合せてアンプをオン／オフすることによって、消費電力の削減を図ることができる。
【０２６５】
図２１は、非選択期間用の共通線電圧ＶＣＯＭＬ’およびＶＣＯＭＨ’を発生する電圧供給源の回路構成のさらに他の変形例を示す回路図である。
【０２６６】
図２１では、ＶＣＯＭＬのラインとＶＣＯＭＬ’のラインとの間に、スイッチ回路（ＳＷ１）が設けられ、同様に、ＶＣＯＭＨのラインとＶＣＯＭＨ’のラインとの間に、スイッチ回路（ＳＷ２）が設けられている。
【０２６７】
スイッチ（ＳＷ１，ＳＷ２）をオンすることによって、ＶＣＯＭＬ’およびＶＣＯＭＨ’の電位（バイアス点）は、速やかに、正規の電圧ＶＣＯＭＨならびにＶＣＯＭＬの電位に収束する。したがって、電位（直流バイアス）の安定化を図ることができる。これによって、ＶＣＯＭＬ’およびＶＣＯＭＨ’の電圧変動は、正規の電圧ＶＣＯＭＨならびにＶＣＯＭＬを中心とした変化となり、この結果、電圧変動が、許容範囲内に収められる可能性が高くなる。よって、ＶＣＯＭＨ’およびＶＣＯＭＬ’についてのＢ級アンプの不感帯領域を有効利用し、効果的に消費電力を削減することができる。
【０２６８】
スイッチ（ＳＷ１，ＳＷ２）は、単独で使用することができ、また、上述のバイアス抵抗（ＲＨ，ＲＬ）と併用すること、あるいは、双方向ダイオードからなるリミッタ（ＬＩＭ１，ＬＩＭ２）と併用することもできる。特に、バイアス抵抗（ＲＬ，ＲＨ）と併用することは有用である。
【０２６９】
すなわち、バイアス抵抗（ＲＬ，ＲＨ）の抵抗値はかなり大きいため、バイアス抵抗単独では、電位（直流バイアス）の安定化するためには相応の時間が必要であるが、スイッチ（ＳＷ１，ＳＷ２）を併用することによって、補助的な正極性電圧供給源および負極性電圧供給源の出力端の電位（直流バイアス）を、所望のタイミングで迅速に安定化させることが可能となる。
【０２７０】
また、スイッチ（ＳＷ１，ＳＷ２）をオンさせるタイミングとしては、種々、考えられる。スイッチ（ＳＷ１，ＳＷ２）を、液晶装置の起動時に所定時間オンすることは有用である。この場合、液晶装置の初期起動時において、補助的な正極性電圧供給源および負極性電圧供給源の出力端の電位（直流バイアス）を、迅速に安定化させることができる。
【０２７１】
また、スイッチ（ＳＷ１，ＳＷ２）を、全走査線が非選択となる期間において、所定の時間間隔で所定時間オンすることも有用である。スイッチは所定間隔で周期的にオンさせることができ、また、スイッチのオンは、画像表示期間以外の期間においてオンさせることができる。全走査線が非選択のとき（例えば帰線期間）にスイッチをオンすると、表示画像に影響を与えることがなく、有利である。また、スイッチを周期的にオンすれば、補助的な正極性電圧供給源および負極性電圧供給源の出力端の電位（直流バイアス）を、常に安定化させることができる。
【０２７２】
図２２は、非選択期間用の共通線電圧ＶＣＯＭＬ’およびＶＣＯＭＨ’を発生する電圧供給源の回路構成のさらに他の変形例を示す回路図である。図２２の場合、ＣＯＭＨ’用アンプならびにＶＣＯＭＬ’用アンプは設けられず、非選択の共通線用の電圧供給源（ＶＳＣ１，ＶＳＣ２）は、コンデンサＣＬおよびＣＨのみで構成されている。この構成も本発明に含まれる。
【０２７３】
（第２の実施形態）
本実施形態では、本発明のアクティブマトリクス型液晶装置（電気光学装置）を搭載した電子機器の例について説明する。
【０２７４】
（プロジェクタ）
まず、本発明の電気光学装置をライトバルブとして用いたプロジェクタについて説明する。図２３は、本発明の電気光学装置（反射型液晶装置）を搭載したプロジェクタの全体構成を示す図である。
【０２７５】
図示されるように、プロジェクタ１１００内部には、偏光照明装置１１１０がシステム光軸ＰＬに沿って配置されている。この偏光照明装置１１１０において、ランプ１１１２からの出射光は、リフレクタ１１１４による反射で略平行な光束となって、第１のインテグレータレンズ１１２０に入射する。これにより、ランプ１１１２からの出射光は、複数の中間光束に分割される。この分割された中間光束は、第２のインテグレータレンズを光入射側に有する偏光変換素子１１３０によって、偏光方向が略々揃った一種類の偏光光束（ｓ偏光光束）に変換されて、偏光照明装置１１１０から出射される。
【０２７６】
偏光照明装置１１１０から出射されたｓ偏光光束は、偏光ビームスプリッタ１１４０のｓ偏光光束反射面１１４１によって反射される。この反射光束のうち、青色光（Ｂ）の光束がダイクロイックミラー１１５１の青色光反射層にて反射され、反射型の電気光学装置１００Ｂによって変調される。また、ダイクロイックミラー１１５１の青色光反射層を透過した光束のうち、赤色光（Ｒ）の光束は、ダイクロイックミラー１１５２の赤色光反射層にて反射され、反射型の液電気光学装置１００Ｒによって変調される。
【０２７７】
一方、ダイクロイックミラー１１５１の青色光反射層を透過した光束のうち、緑色光（Ｇ）の光束は、ダイクロイックミラー１１５２の赤色光反射層を透過して、反射型の電気光学装置１００Ｇによって変調される。
【０２７８】
このようにして、電気光学装置１００Ｒ、１００Ｇ、１００Ｂによってそれぞれ色光変調された赤色、緑色、青色の光は、ダイクロイックミラー１１５２、１１５１、偏光ビームスプリッタ１１４０によって順次合成された後、投射光学系１１６０によって、スクリーン１１７０に投射されることとなる。なお、電気光学装置１００Ｒ、１００Ｂおよび１００Ｇには、ダイクロイックミラー１１５１、１１５２によって、Ｒ、Ｇ、Ｂの各原色に対応する光束が入射するので、カラーフィルタは必要ない。
【０２７９】
図２３のプロジェクタは、低消費電力性に優れるという利点があり、例えば、ホームシアター用のプロジェクタとして有用である。
【０２８０】
なお、上述の例では反射型の電気光学装置を用いたが、透過型表示の電気光学装置を用いたプロジェクタとすることもできる。
【０２８１】
（モバイル型コンピュータ）
【０２８２】
次に、本発明の電気光学装置を、モバイル型のパーソナルコンピュータに適用した例について説明する。図２４は、本発明の電気光学機器を搭載したパーソナルコンピュータの構成を示す斜視図である。
【０２８３】
図２４において、コンピュータ１２００は、キーボード１２０２を備えた本体部１２０４と、表示ユニット１２０６とから構成されている。この表示ユニット１２０６は、先に述べた電気光学装置１００の前面にフロントライトを付加することにより構成されている。なお、この構成では、電気光学装置１００を反射直視型として用いることになるので、画素電極１１８において、反射光が様々な方向に散乱するように、凹凸が形成される構成が望ましい。
【０２８４】
図２４のモバイル型コンピュータは、低消費電力性に優れるため、バッテリを長寿命化することができる。
【０２８５】
（携帯端末）
図２５は、本発明の電気光学装置を搭載した携帯端末（ここでは、携帯電話端末とする）の構成を示す斜視図である。同図において、携帯電話１３００は、複数の操作ボタン１３０２のほか、受話口１３０４、送話口１３０６と共に、電気光学装置１００を備えるものである。この電気光学装置１００にも、必要に応じてその前面にフロントライトが設けられる。また、この構成でも、電気光学装置１００が反射直視型として用いられることになるので、画素電極１１８に凹凸が形成される構成が望ましい。
【０２８６】
図２５の携帯端末は、低消費電力性に優れるため、バッテリを長寿命化することができるという利点がある。
【０２８７】
なお、本発明は、その他の電子機器（例えば、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等）にも適用が可能である。本発明によって、高精細な表示が可能なローコストの電気光学装置を得ることができる。
【０２８８】
以上、本発明の実施形態を参照して本発明の内容を説明したが、本発明の要旨を逸脱しない範囲で、多くの変形が可能であることは、当業者には容易に理解できるであろう。したがって、このような変形例は、すべて本発明に含まれるものとする。例えば、電気光学材料としては、電圧印加によって透過率が変化する材料を広く利用することができる。また、スイッチ素子を、トランジスタではなくダイオードで構成するといった変形がなされた画素回路は、すべて本発明の技術範囲に含まれる。
【０２８９】
このように、本発明の実施形態によれば、以下の主要な効果を得ることができる。
（１）蓄積容量の一端と共通電極を共通線で接続した画素構成をもち、共通線の駆動電圧の極性を交互に反転させて駆動する液晶装置を実現することができる。
（２）共通線に接続される画素が選択期間から非選択期間に切換わると、これに合わせて、共通線の接続先を、簡易構成の補助的な電圧供給源に切換えることによって、共通線を駆動する正規のアンプの負荷を軽減して、選択期間の共通線に対して高精度の電圧を供給することを可能とすることができる。
（３）寄生容量を経由して流れるクロストーク電流による電力消費を効果的に低減することができる。
（４）本発明の液晶装置は、例えば、コンデンサを主体とした簡単な構成の電圧供給源の追加によって実現できる。よって現実の実施が容易である。
【０２９０】
なお、本実施形態について詳述したが、本発明の新規事項および効果から逸脱しない範囲で、多くの変形が可能であることは、当業者には容易に理解できるであろう。したがって、このような変形例は、すべて本発明に含まれるものとする。
【０２９１】
本発明は、携帯電話機、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などの表示部に用いて好適である。
【図面の簡単な説明】
【０２９２】
【図１】本発明の液晶装置の全体構成の一例を示す図
【図２】図１の画素部の拡大平面図
【図３】図２の画素部のＡ−Ａ線に沿うデバイスの断面図
【図４】制御回路の回路構成の一例を示すブロック図
【図５】制御回路の動作の一例を示すタイミングチャート
【図６】液晶装置の正極性書込時のタイミングチャート
【図７】液晶装置の負極性書込時のタイミングチャート
【図８】データ線Ｘと共通線Ｚとの間の寄生容量を経由したクロストークについて説明するための模式図
【図９】図８の液晶装置において、データ線電位の変化（立ち上がり変化）に伴って、データ線側から共通線側に電流が流れる場合における電流経路を示す図
【図１０】図８の液晶装置において、データ線電位の変化（立ち下り変化）に伴って、共通線側からデータ線側に電流が流れる場合における電流経路を示す図
【図１１】本発明の液晶装置の特徴的な要部の構成を示す図
【図１２】図１１に示される制御回路３０の具体的な構成の一例を示す図
【図１３】非選択期間の共通線を補助的な電圧供給源に接続することの効果（データ線から共通線へのクロストーク電流の低減効果）を説明するための図
【図１４】非選択期間の共通線を補助的な電圧供給源に接続することの効果（共通線からデータ線へのクロストーク電流の低減効果）を説明するための図
【図１５】図１５（Ａ）および図１５（Ｂ）は、補助的な共通線用の電圧供給源（ＶＳＣ１またはＶＳＣ２）の構成についての考察を説明するための波形図
【図１６】図１６（Ａ）〜図１６（Ｃ）の各々は、不感帯をもつＢ級アンプの回路構成の一例について説明するための図
【図１７】本発明の液晶装置における、正極性書込み時の各部の駆動波形を示す波形図
【図１８】本発明の液晶装置における、負極性書込み時の各部の駆動波形を示す波形図
【図１９】非選択期間用の共通線電圧ＶＣＯＭＬ’およびＶＣＯＭＨ’を発生する電圧供給源の回路構成の変形例を示す図
【図２０】非選択期間用の共通線電圧ＶＣＯＭＬ’およびＶＣＯＭＨ’を発生する電圧供給源の回路構成の他の変形例を示す図
【図２１】非選択期間用の共通線電圧ＶＣＯＭＬ’およびＶＣＯＭＨ’を発生する電圧供給源の回路構成のさらに他の変形例を示す図
【図２２】非選択の共通線のための補助的な電圧供給源（共通線用電圧供給源）の一例（最も簡単な構成例）を示す回路図
【図２３】本発明の液晶装置を搭載したプロジェクタの全体構成を示す図
【図２４】本発明の液晶装置を搭載したパーソナルコンピュータの構成を示す斜視図
【図２５】本発明の液晶装置を搭載した携帯端末の構成を示斜視図
【符号の説明】
【０２９３】
１、１Ａ…液晶装置、１０…走査線駆動回路、２０…データ線駆動回路、３０、３０Ａ…制御回路、５５…画素電極、５６…共通電極、６０…素子基板（第１基板）、７０…対向基板（第２基板）、３０００…携帯電話機（電子機器）、Ｐ…単位制御回路、Ｑ…ラッチ回路、Ｒ…選択回路、Ｘ…データ線、Ｙ…走査線、Ｚ…共通線、ＺＡ…補助共通線
【図１】
2008249831.tif 000003
【図２】
2008249831.tif 000004
【図３】
2008249831.tif 000005
【図４】
2008249831.tif 000006
【図５】
2008249831.tif 000007
【図６】
2008249831.tif 000008
【図７】
2008249831.tif 000009
【図８】
2008249831.tif 000010
【図９】
2008249831.tif 000011
【図１０】
2008249831.tif 000012
【図１１】
2008249831.tif 000013
【図１２】
2008249831.tif 000014
【図１３】
2008249831.tif 000015
【図１４】
2008249831.tif 000016
【図１５】
2008249831.tif 000017
【図１６】
2008249831.tif 000018
【図１７】
2008249831.tif 000019
【図１８】
2008249831.tif 000020
【図１９】
2008249831.tif 000021
【図２０】
2008249831.tif 000022
【図２１】
2008249831.tif 000023
【図２２】
2008249831.tif 000024
【図２３】
2008249831.tif 000025
【図２４】
2008249831.tif 000026
【図２５】
2008249831.tif 000027